(57)【特許請求の範囲】
【請求項１】
用紙の搬送動作を行う搬送部を有する画像処理装置であって、
前記画像処理装置で実行中のジョブを停止させるための停止要求をユーザから受け付ける受付手段と、
前記受付手段により前記停止要求が受け付けられた場合において、前記画像処理装置で実行中のジョブのうち前記搬送部による用紙の搬送動作が行われているジョブである第１の種類のジョブがあるとき、前記第１の種類のジョブを停止させる停止指示手段と、
前記受付手段により前記停止要求が受け付けられたとき、前記画像処理装置で実行中のジョブのうち、前記第１の種類のジョブでない第２の種類のジョブを判別する判別手段と、
前記判別手段の判別結果に基づいて、前記第２の種類のジョブに関する情報をユーザに表示するジョブ情報表示手段とを備える、画像処理装置。
【請求項２】
前記第２の種類のジョブは、音声回線又はデジタル回線を経由したファクシミリ送信動作を行うジョブ、ネットワークファクシミリ送信動作を行うジョブ、電子メールの送信動作を行うジョブ、ファイル転送動作を行うジョブ、記憶装置に情報を保存するジョブ、及び外部サーバにおける処理を行うジョブのうち少なくとも１つを含む、請求項１に記載の画像処理装置。
【請求項３】
前記外部サーバにおける処理は、画像処理、認証データ送信処理、及び画像データ送信処理のうち少なくとも１つを含む、請求項２に記載の画像処理装置。
【請求項４】
前記受付手段により前記停止要求が受け付けられた場合において、前記画像処理装置で実行中のジョブのうち前記停止指示手段により停止されないジョブがあるとき、そのジョブを破棄するか否かの選択を求める情報をユーザに表示する破棄選択情報表示手段をさらに備え、
前記ジョブ情報表示手段は、前記破棄選択情報表示手段による表示に応じてジョブを破棄する旨の選択が行われたとき、前記第２の種類のジョブに関する情報の表示を行う、請求項１から３のいずれかに記載の画像処理装置。
【請求項５】
前記受付手段により前記停止要求が受け付けられた場合において、前記第１の種類のジョブと前記第２の種類のジョブとがあるとき、
前記ジョブ情報表示手段は、前記第１の種類のジョブに関する情報と前記第２の種類のジョブに関する情報とを、前記第１の種類のジョブに関する情報よりも前記第２の種類のジョブに関する情報を優先して、ユーザに表示する、請求項１から４のいずれかに記載の画像処理装置。
【請求項６】
前記受付手段により前記停止要求が受け付けられた場合において、前記第２の種類のジョブと、停止中であるジョブ又は待機中であるジョブとがあるとき、
前記ジョブ情報表示手段は、前記停止中であるジョブ又は待機中であるジョブに関する情報よりも前記第２の種類のジョブに関する情報を優先して、ユーザに表示する、請求項１から５のいずれかに記載の画像処理装置。
【請求項７】
前記受付手段により前記停止要求が受け付けられた場合において、前記第２の種類のジョブであって破棄することができないものがあるとき、
前記ジョブ情報表示手段は、前記第２の種類のジョブであって破棄することができないものに関する情報を、停止中であるジョブよりも優先して、かつ、前記第２の種類のジョブであって破棄することができるものよりも優先せずに、ユーザに表示する、請求項１から６のいずれかに記載の画像処理装置。
【請求項８】
前記優先してユーザに表示するとは、
ユーザが視認可能な画面に表示される同一の表示領域上に、優先するジョブに関する情報が前記表示領域の上方に位置するように表示すること、
複数のジョブに関する情報をユーザが視認可能な画面に表示される複数の表示領域に区分して表示する場合において、表示当初に、優先するジョブに関する情報が含まれる表示領域を他の表示領域よりも優先して表示すること、及び
複数のジョブに関する情報を、ユーザが視認可能な画面に互いに重ねて表示される複数の表示領域に区分して表示する場合において、表示当初に、優先するジョブに関する情報が含まれる表示領域が他の表示領域の上に重ねられるように、複数の表示領域を重ねて表示すること、
のうちいずれかである、請求項５から７のいずれかに記載の画像処理装置。
【請求項９】
前記ジョブ情報表示手段により情報が表示されるジョブの数に関するいき値を設定する設定手段と、
前記設定手段により設定されたいき値に応じて、前記ジョブ情報表示手段によるジョブに関する情報の表示を区分して行うか否かを判定する表示判定手段とをさらに備え、
前記ジョブ情報表示手段は、前記受付手段により前記停止要求が受け付けられた場合において、前記表示判定手段によりジョブに関する情報の表示を区分して行うことが判定されたとき、表示すべきジョブに関する情報を区分して表示する、請求項１から８のいずれかに記載の画像処理装置。
【請求項１０】
原稿を読み取る読取部をさらに備え、
前記搬送部は、前記読取部で読み取られる原稿の搬送動作を行う、請求項１から９のいずれかに記載の画像処理装置。
【請求項１１】
用紙に画像を形成する画像形成部と、
請求項１から１０のいずれかに記載の画像処理装置とを備え、
前記搬送部は、前記画像形成部で用いられる用紙の搬送動作を行う、画像形成装置。
【請求項１２】
用紙の搬送動作を行う搬送部を有する画像処理装置の制御方法であって、
前記画像処理装置で実行中のジョブを停止させるための停止要求をユーザから受け付ける受付ステップと、
前記受付ステップにより前記停止要求が受け付けられた場合において、前記画像処理装置で実行中のジョブのうち前記搬送部による用紙の搬送動作が行われているジョブである第１の種類のジョブがあるとき、前記第１の種類のジョブを停止させるジョブ停止ステップと、
前記受付ステップにより前記停止要求が受け付けられたとき、前記画像処理装置で実行中のジョブのうち、前記第１の種類のジョブでない第２の種類のジョブを判別する判別ステップと、
前記判別ステップの判別結果に基づいて、前記第２の種類のジョブに関する情報をユーザに表示するジョブ情報表示ステップとを備える、画像処理装置の制御方法。
【請求項１３】
用紙の搬送動作を行う搬送部を有する画像処理装置の制御プログラムであって、
前記画像処理装置で実行中のジョブを停止させるための停止要求をユーザから受け付ける受付ステップと、
前記受付ステップにより前記停止要求が受け付けられた場合において、前記画像処理装置で実行中のジョブのうち前記搬送部による用紙の搬送動作が行われているジョブである第１の種類のジョブがあるとき、前記第１の種類のジョブを停止させるジョブ停止ステップと、
前記受付ステップにより前記停止要求が受け付けられたとき、前記画像処理装置で実行中のジョブのうち、前記第１の種類のジョブでない第２の種類のジョブを判別する判別ステップと、
前記判別ステップの判別結果に基づいて、前記第２の種類のジョブに関する情報をユーザに表示するジョブ情報表示ステップとをコンピュータに実行させる、画像処理装置の制御プログラム。
【発明の詳細な説明】
【技術分野】
【０００１】
この発明は、画像処理装置、画像形成装置、画像処理装置の制御方法、及び画像処理装置の制御プログラムに関し、特に、実行中のジョブを停止させる停止要求をユーザから受け付ける画像処理装置、画像形成装置、画像処理装置の制御方法、及び画像処理装置の制御プログラムに関する。
【背景技術】
【０００２】
画像形成装置（スキャナ機能、ファクシミリ機能、複写機能、プリンタとしての機能、データ通信機能、及びサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）や画像読取装置などを含む画像処理装置としては、ユーザが操作できるように設けられたストップキーが操作されたとき、すなわちユーザによる停止要求があったとき、実行中又は待機中のジョブ（例えばプリントジョブやスキャンジョブなど）を停止するものがある。
【０００３】
下記特許文献１には、画像形成装置において、ストップキーが押下された場合に、実行中のジョブのうち印刷出力プロセスを実行中のページの印刷出力完了後に一時停止させ、一時停止中及び待機中のジョブリスト画面を表示パネルに表示させ、ジョブリスト画面中の選択項目についてキャンセル指示を行うことができることが開示されている。
【０００４】
下記特許文献２には、画像形成装置において、キャンセルボタンの押下時間をカウントし、所定時間押下された場合には印刷中の印刷データをキャンセルし、押下時間が所定時間に達しない場合には、印刷データの識別情報のリスト表示を行うことが開示されている。
【先行技術文献】
【特許文献】
【０００５】
【特許文献１】特開２００８−１８６２２号公報
【特許文献２】特開２００６−８８３５５号公報
【発明の概要】
【発明が解決しようとする課題】
【０００６】
上記のような画像処理装置では、用紙の搬送動作（例えば、スキャンを行うために原稿を搬送する動作、用紙にプリントを行うための給紙動作など）に代表される機械的な動作を行っているときにストップキーが押下されると、その動作中である機械的な動作が停止する。ここで停止とは、再開可能な一時停止状態のことをいう。他方、例えばファクシミリ送信ジョブなどの通信動作は、再開可能には一時停止できない動作（以下、停止不可動作ということがある。）であって、停止不可動作は、動作中においてストップキーが押下されても停止しない。
【０００７】
画像処理装置において、機械的な動作又は停止不可動作が実行されている場合において、これらの動作を停止させたいという意図を持ったユーザがストップキーを押下する場合を想定する。この場合、機械的な動作は停止するので、ユーザは、意図したとおりにこの種の動作を停止させることができる。例えば、スキャンジョブやプリントジョブが実行中であるときには、それらのジョブが停止されるので、余分な出力等が行われることすなわち浪費が増えることを防止できる。しかしながら、停止不可動作は、ストップキーが押下されても停止せず、ユーザの意図に反して、動作中のまま継続される。例えば、ファクシミリ送信中であるときには、ストップキーが押下されても、送信動作は継続される。
【０００８】
ところで、ユーザは、機械的な動作については、動作音や用紙等の移動の有無などによって、動作中であるか否かを比較的に容易に判別できる。他方、ユーザは、停止不可動作については、動作中であるか否かを容易には判別できない場合がある。すなわち、停止不可動作は、機械的な動作を伴わない通信動作などであり、その動作中には、機械的な動作音などは発生しない。そのため、ユーザは、停止不可動作が動作中であるか否かについて、視認により容易に判別することができない場合がある。
【０００９】
このように、停止不可動作について動作中であるか否かは直感的に判別できない場合があるので、以下のような問題が生じる。すなわち、停止不可動作が動作中である場合においてストップキーが押下されたとき、ユーザは、停止不可動作が、停止していないことに気付けない場合がある。ユーザが、停止不可動作を停止させたいという意図を持ってストップキーを押下している場合には、ユーザが意図していない動作が行われてしまうことになる。
【００１０】
このような問題は、特に、機械的動作と停止不可動作とを含む複数の動作（ジョブ）が実行されているマルチ動作中において、これらの動作を停止させたいという意図を持ったユーザがストップキーを押下したときに、より顕著なものになる。すなわち、このような場合には、ストップキーが押下されたことにより機械的動作が停止するが、停止不可動作は停止しない。他方、ユーザは、機械的動作が停止したことを容易に知ることができる。このとき、ユーザが、機械的動作が停止したことをもって、機械的動作と停止不可動作との双方が停止したと誤認してしまう可能性が高くなる。
【００１１】
上記特許文献１に記載の画像形成装置では、ストップキーが押下された場合に、一時停止中及び待機中のジョブリスト画面が表示パネルに表示される。しかしながら、これはすべてのジョブが同じリストに表示されるものである。すなわち、この画像形成装置では、ストップキーが押下されたとき、停止不可動作が動作中であるか否かが容易に判別可能であるものではない。
【００１２】
上記特許文献１，２には、上記のような停止できない動作に関する問題点について、有効な解決策は何ら開示されていない。
【００１３】
この発明はそのような問題点を解決するためになされたものであり、停止要求が行われた場合であって、一時停止できないジョブが実行中であるとき、ユーザがそのジョブが実行中であることを容易に知ることができる画像処理装置、画像形成装置、画像処理装置の制御方法、及び画像処理装置の制御プログラムを提供することを目的としている。
【課題を解決するための手段】
【００１４】
上記目的を達成するためこの発明のある局面に従うと、用紙の搬送動作を行う搬送部を有する画像処理装置は、画像処理装置で実行中のジョブを停止させるための停止要求をユーザから受け付ける受付手段と、受付手段により停止要求が受け付けられた場合において、画像処理装置で実行中のジョブのうち搬送部による用紙の搬送動作が行われているジョブである第１の種類のジョブがあるとき、第１の種類のジョブを停止させる停止指示手段と、受付手段により停止要求が受け付けられたとき、画像処理装置で実行中のジョブのうち、第１の種類のジョブでない第２の種類のジョブを判別する判別手段と、判別手段の判別結果に基づいて、第２の種類のジョブに関する情報をユーザに表示するジョブ情報表示手段とを備える。
【００１５】
好ましくは第２の種類のジョブは、音声回線又はデジタル回線を経由したファクシミリ送信動作を行うジョブ、ネットワークファクシミリ送信動作を行うジョブ、電子メールの送信動作を行うジョブ、ファイル転送動作を行うジョブ、記憶装置に情報を保存するジョブ、及び外部サーバにおける処理を行うジョブのうち少なくとも１つを含む。
【００１６】
好ましくは外部サーバにおける処理は、画像処理、認証データ送信処理、及び画像データ送信処理のうち少なくとも１つを含む。
【００１７】
好ましくは画像処理装置は、受付手段により停止要求が受け付けられた場合において、画像処理装置で実行中のジョブのうち停止指示手段により停止されないジョブがあるとき、そのジョブを破棄するか否かの選択を求める情報をユーザに表示する破棄選択情報表示手段をさらに備え、ジョブ情報表示手段は、破棄選択情報表示手段による表示に応じてジョブを破棄する旨の選択が行われたとき、第２の種類のジョブに関する情報の表示を行う。
【００１８】
好ましくは受付手段により停止要求が受け付けられた場合において、第１の種類のジョブと第２の種類のジョブとがあるとき、ジョブ情報表示手段は、第１の種類のジョブに関する情報と第２の種類のジョブに関する情報とを、第１の種類のジョブに関する情報よりも第２の種類のジョブに関する情報を優先して、ユーザに表示する。
【００１９】
好ましくは受付手段により停止要求が受け付けられた場合において、第２の種類のジョブと、停止中であるジョブ又は待機中であるジョブとがあるとき、ジョブ情報表示手段は、停止中であるジョブ又は待機中であるジョブに関する情報よりも第２の種類のジョブに関する情報を優先して、ユーザに表示する。
【００２０】
好ましくは受付手段により停止要求が受け付けられた場合において、第２の種類のジョブであって破棄することができないものがあるとき、ジョブ情報表示手段は、第２の種類のジョブであって破棄することができないものに関する情報を、停止中であるジョブよりも優先して、かつ、第２の種類のジョブであって破棄することができるものよりも優先せずに、ユーザに表示する。
【００２１】
好ましくは優先してユーザに表示するとは、ユーザが視認可能な画面に表示される同一の表示領域上に、優先するジョブに関する情報が表示領域の上方に位置するように表示すること、複数のジョブに関する情報をユーザが視認可能な画面に表示される複数の表示領域に区分して表示する場合において、表示当初に、優先するジョブに関する情報が含まれる表示領域を他の表示領域よりも優先して表示すること、及び複数のジョブに関する情報を、ユーザが視認可能な画面に互いに重ねて表示される複数の表示領域に区分して表示する場合において、表示当初に、優先するジョブに関する情報が含まれる表示領域が他の表示領域の上に重ねられるように、複数の表示領域を重ねて表示すること、のうちいずれかである。
【００２２】
好ましくは画像処理装置は、ジョブ情報表示手段により情報が表示されるジョブの数に関するいき値を設定する設定手段と、設定手段により設定されたいき値に応じて、ジョブ情報表示手段によるジョブに関する情報の表示を区分して行うか否かを判定する表示判定手段とをさらに備え、ジョブ情報表示手段は、受付手段により停止要求が受け付けられた場合において、表示判定手段によりジョブに関する情報の表示を区分して行うことが判定されたとき、表示すべきジョブに関する情報を区分して表示する。
【００２３】
好ましくは画像処理装置は、原稿を読み取る読取部をさらに備え、搬送部は、読取部で読み取られる原稿の搬送動作を行う。
【００２４】
この発明の他の局面に従うと、画像形成装置は、用紙に画像を形成する画像形成部と、上述のいずれかに記載の画像処理装置とを備え、搬送部は、画像形成部で用いられる用紙の搬送動作を行う。
【００２５】
この発明のさらに他の局面に従うと、用紙の搬送動作を行う搬送部を有する画像処理装置の制御方法は、画像処理装置で実行中のジョブを停止させるための停止要求をユーザから受け付ける受付ステップと、受付ステップにより停止要求が受け付けられた場合において、画像処理装置で実行中のジョブのうち搬送部による用紙の搬送動作が行われているジョブである第１の種類のジョブがあるとき、第１の種類のジョブを停止させるジョブ停止ステップと、受付ステップにより停止要求が受け付けられたとき、画像処理装置で実行中のジョブのうち、第１の種類のジョブでない第２の種類のジョブを判別する判別ステップと、判別ステップの判別結果に基づいて、第２の種類のジョブに関する情報をユーザに表示するジョブ情報表示ステップとを備える。
【００２６】
この発明のさらに他の局面に従うと、用紙の搬送動作を行う搬送部を有する画像処理装置の制御プログラムは、画像処理装置で実行中のジョブを停止させるための停止要求をユーザから受け付ける受付ステップと、受付ステップにより停止要求が受け付けられた場合において、画像処理装置で実行中のジョブのうち搬送部による用紙の搬送動作が行われているジョブである第１の種類のジョブがあるとき、第１の種類のジョブを停止させるジョブ停止ステップと、受付ステップにより停止要求が受け付けられたとき、画像処理装置で実行中のジョブのうち、第１の種類のジョブでない第２の種類のジョブを判別する判別ステップと、判別ステップの判別結果に基づいて、第２の種類のジョブに関する情報をユーザに表示するジョブ情報表示ステップとをコンピュータに実行させる。
【発明の効果】
【００２７】
これらの発明に従うと、停止要求が受け付けられたとき、実行中のジョブのうち用紙の搬送動作が行われていない第２の種類のジョブに関する情報が、ユーザに表示される。したがって、停止要求が行われた場合であって、一時停止できないジョブが実行中であるとき、ユーザがそのジョブが実行中であることを容易に知ることができる画像処理装置、画像形成装置、画像処理装置の制御方法、及び画像処理装置の制御プログラムを提供することができる。
【図面の簡単な説明】
【００２８】
【図１】本発明の実施の形態の１つにおける画像形成装置を用いた画像形成システムの構成を示すブロック図である。
【図２】画像形成装置を示す斜視図である。
【図３】画像形成システムの画像形成装置及びサーバのハードウェア構成を示すブロック図である。
【図４】画像形成装置の動作を示すフローチャートである。
【図５】ストップキーが押下された場合において表示される破棄選択画面の一例を示す図である。
【図６】ジョブ破棄を行うためのジョブ情報表示画面の一例を示す図である。
【図７】ジョブ破棄を行うための選択操作の一例を説明する図である。
【図８】ジョブ情報表示画面の別例を示す図である。
【図９】停止中のジョブに関する情報を表示させた状態のジョブ情報表示画面の一例を示す図である。
【図１０】サーバ連携ジョブが実行中である場合のジョブ情報表示画面の一例を示す図である。
【図１１】ジョブ情報表示画面においてサーバで処理中であるサーバ連携ジョブが選択されたときの表示例を説明する図である。
【図１２】サーチャブルＰＤＦファイルの生成ジョブの流れを示すシーケンス図である。
【図１３】サーバを利用した認証プルプリントジョブの流れを示すシーケンス図である。
【図１４】ストップキーが押下された後に表示されるジョブ情報表示画面の一例を示す図である。
【図１５】ストップキーが押下された後に表示されるジョブ情報表示画面の一例を示す図である。
【図１６】ジョブ情報表示画面において削除選択操作の受け付け動作の一例を説明する図である。
【図１７】削除選択操作に応じてジョブの破棄が行われた後のジョブ情報表示画面の一例を示す図である。
【図１８】ジョブ情報表示画面の表示時に行われる処理を示すフローチャートである。
【図１９】いき値の設定処理を示すフローチャートである。
【図２０】ジョブの数がいき値より大きい場合のジョブ情報表示画面の一例を示す図である。
【図２１】ジョブの数がいき値より小さい場合のジョブ情報表示画面の一例を示す図である。
【図２２】Ｇ３ｆａｘ送信ジョブの動作の一例を示すフローチャートである。
【図２３】ジョブ情報表示画面の一例を示す図である。
【図２４】ジョブ情報表示画面の一例を示す図である。
【図２５】認証プルプリントジョブの動作の一例を示すフローチャートである。
【図２６】ジョブ情報表示画面の一例を示す図である。
【発明を実施するための形態】
【００２９】
以下、本発明の実施の形態の１つにおける画像形成装置（画像処理装置の一例）について説明する。
【００３０】
［概要］
【００３１】
画像形成装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。スキャナ機能では、セットされた原稿の画像を読み取ってそれをＨＤＤ（Ｈａｒｄ  Ｄｉｓｋ  Ｄｒｉｖｅ）などに蓄積する。複写機能では、さらにそれを用紙などに印刷（プリント）する。プリンタとしての機能では、ＰＣなどの外部端末から印刷指示を受けるとその指示に基づいて用紙に印刷を行う。ファクシミリ機能では、外部のファクシミリ装置などからファクシミリデータを受信してそれをＨＤＤなどに蓄積する。データ通信機能では、接続された外部機器との間でデータを送受信する。サーバ機能では、複数のユーザでＨＤＤなどに記憶したデータなどを共有可能にする。
【００３２】
画像形成装置は、ネットワークを介して、サーバ装置に、互いに通信可能に接続されている。画像形成装置は、サーバにアクセスして、種々の機能等をサーバに実行させることができる。
【００３３】
画像形成装置には、動作中のジョブを停止させるために押下操作されるストップキーが設けられている。ストップキーがユーザにより押下されると、印刷動作や読取動作など、用紙の搬送動作を伴うものが一時停止される。また、ストップキーが押下されたとき、一時停止不可能であるジョブが動作中であれば、そのジョブに関する情報が、表示パネル上に、ユーザに向けて表示される。
【００３４】
データの送信などを行うジョブについては、ユーザが目で見てもそのジョブの動作の有無を判断することが困難である場合がある。しかしながら、この画像形成装置では、そのようなジョブであっても、ジョブが一時停止不可能であり、停止されず動作中である場合には、そのジョブに関する情報が他のジョブに優先して表示される。このように、ストップキーが押下された場合に、機械的な動作すなわち停止されたことが目に見える動作が行われているジョブよりも、ファクシミリ送信中のような停止できない状態の動作が行われているジョブが優先して表示される。これにより、ユーザは、ストップキーを押下した場合において、そのような一時停止不可能であるジョブが依然として動作中であることを容易に知ることができる。ユーザは、意図しない動作が行われていることにより早く気付くことができ、対処することができる。
【００３５】
［実施の形態］
【００３６】
図１は、本発明の実施の形態の１つにおける画像形成装置を用いた画像形成システムの構成を示すブロック図である。
【００３７】
図１に示されるように、画像形成システム９００は、画像形成装置１と、クライアントＰＣ（以下、ＰＣということがある。）４０１と、サーバ（外部サーバの一例）６０１とを備える。
【００３８】
画像形成装置１と、サーバ６０１と、ＰＣ４０１とは、それぞれ、ネットワーク８００に接続されている。ネットワーク８００は、例えばＬＡＮ（Ｌｏｃａｌ  Ａｒｅａ  Ｎｅｔｗｏｒｋ）である。画像形成装置１と、サーバ６０１と、ＰＣ４０１とは、ネットワーク８００を介して互いに通信可能である。各装置は、ＬＡＮケーブルなどを介してネットワーク８００に接続されていてもよいし、いわゆる無線ＬＡＮによりネットワーク８００に接続されていてもよい。
【００３９】
［画像形成装置１の構成］
【００４０】
図２は、画像形成装置１を示す斜視図である。
【００４１】
図２に示されるように、画像形成装置１は、給紙カセット３と、排紙トレイ５と、操作部（受付手段の一例）１１と、制御部２０と、プリント部（画像形成部の一例）３０と、スキャン部（読取部の一例）４０とを備える。制御部２０は、後述するように、ＣＰＵ２１（図３に示す。）などを有し、画像形成装置１の動作を制御する。制御部２０及びプリント部３０は、画像形成装置１の筐体の内部に配置されている。
【００４２】
画像形成装置１は、３つの給紙カセット３（給紙カセット３ａ，３ｂ，３ｃ）を有している。それぞれの給紙カセット３には、例えば、互いに異なるサイズの用紙（Ｂ５サイズ、Ａ４サイズ、及びＡ３サイズなど）が装てんされている。給紙カセット３は、画像形成装置１の下部に、画像形成装置１の筐体に抜き差し可能に配置されている。各給紙カセット３に装てんされた用紙は、印字時に、１枚ずつ給紙カセット３から給紙され、プリント部３０に送られる。なお、給紙カセット３の数は３つに限られず、それより多くても少なくてもよい。
【００４３】
排紙トレイ５は、画像形成装置１の筐体のうちプリント部３０が収納されている部位の上方でスキャン部４０が配置されている部位の下方に配置されている。排紙トレイ５には、プリント部３０により画像が形成された用紙が筐体の内部から排紙される。
【００４４】
操作部１１は、画像形成装置１の上部前面（図２において正面）側に配置されている。操作部１１には、ユーザにより押下操作可能な複数の操作キー１１ａが配置されている。操作部１１には、操作キー１１ａの１つであるストップキー１１ｂが配置されている。操作部１１には、情報をユーザに表示する表示パネル１３が配置されている。
【００４５】
表示パネル１３は、例えば、タッチパネルを備えたＬＣＤ（Ｌｉｑｕｉｄ  Ｃｒｙｓｔａｌ  Ｄｉｓｐｌａｙ）である。表示パネル１３は、ユーザに案内画面を表示したり、操作キーを表示してユーザからのタッチ操作を受け付けたりする。表示パネル１３は、ＣＰＵ２１により制御されて表示を行う。ＣＰＵ２１は、表示パネル１３に情報を示す画面（画像）を表示することで、その情報をユーザに表示することができる。
【００４６】
操作部１１は、ユーザからの操作入力を受け付ける。操作部１１は、操作キー１１ａや表示パネル１３がユーザにより操作されると、その操作に応じた操作信号又は所定のコマンドをＣＰＵ２１に送信する。すなわち、ユーザは、操作部１１に操作を行うことにより、画像形成装置１に種々の動作を実行させることができる。
【００４７】
ストップキー１１ｂは、画像形成装置１で実行中のジョブを停止させるための停止要求をユーザから受け付けるために設けられている。すなわち、ストップキー１１ｂは、画像形成装置１で実行中のジョブを停止させようとするユーザにより操作される。ストップキー１１ｂが操作されることで、ユーザからの停止要求が操作部１１により受け付けられ、停止要求がＣＰＵ２１に送られる。ＣＰＵ２１は、停止要求に応じて制御を行う。
【００４８】
プリント部３０は、例えば、トナー像形成部により形成したトナー像を用紙に転写する電子写真方式で用紙に画像を形成する。プリント部３０は、大まかに、トナー像形成部（図示せず）と、用紙搬送部（搬送部の一例；図３に示す。）３１と、定着装置（図示せず）とを有している。
【００４９】
用紙搬送部３１は、給紙ローラ、搬送ローラ、及びそれらを駆動するモータなどで構成されている。用紙搬送部３１は、用紙を給紙カセット３から給紙して、画像形成装置１の筐体の内部で搬送する。また、用紙搬送部３１は、画像が形成された用紙を画像形成装置１の筐体から排紙トレイ５などに排出する。
【００５０】
トナー像形成部は、感光体、現像装置、露光装置、転写ローラなどを有している。トナー像形成部は、トナー像を形成し、形成したトナー像を用紙搬送部３１により搬送される用紙に転写する。
【００５１】
定着装置は、加熱ローラ及び加圧ローラを有している。定着装置は、加熱ローラと加圧ローラとでトナー像が形成された用紙を挟みながら搬送し、その用紙に加熱及び加圧を行う。これにより、定着装置は、用紙に付着したトナーを溶融させて用紙に定着させ、用紙に画像を形成する。
【００５２】
スキャン部４０は、画像形成装置１の筐体の上部に配置されている。スキャン部４０は、自動原稿搬送部（ＡＤＦ（Ａｕｔｏ  Ｄｏｃｕｍｅｎｔ  Ｆｅｅｄｅｒ）；搬送部の一例）４１を有している。
【００５３】
スキャン部４０は、上述のスキャナ機能を実行する。スキャン部４０は、透明な原稿台に配置された原稿をコンタクトイメージセンサにより走査して、それを画像データとして読み取る。また、スキャン部４０は、原稿トレイにセットされた複数枚の原稿を自動原稿搬送部４１により順次取り込みながら、コンタクトイメージセンサによりその画像データを読み取る。
【００５４】
図３は、画像形成システム９００の画像形成装置１及びサーバ６０１のハードウェア構成を示すブロック図である。
【００５５】
図３に示されるように、画像形成装置１は、上述の各部のほか、ＨＤＤ１５と、ネットワーク部２９とを有している。また、画像形成装置１は、後述のようにストップキー１１ｂに関連する動作を行う、表示制御部（判別手段の一例、ジョブ情報表示手段の一例）１６及び停止指示部（停止指示手段の一例）１７を有している。画像形成装置１の各部は、システムバスに接続されている。制御部２０は、画像形成装置１の各部と通信可能である。
【００５６】
ＨＤＤ１５は、ネットワーク部２９を介して外部から送られた印刷（プリント）ジョブのデータや、スキャン部４０で読み取った画像データなどを記憶する。また、ＨＤＤ１５は、画像形成装置１の設定情報や、画像形成装置１の種々の動作を行うための制御プログラムなどを記憶する。ＨＤＤ１５は、１つのＰＣ４０１又は複数のＰＣなどから送信された複数の印刷ジョブを記憶可能である。
【００５７】
ネットワーク部２９は、例えば、ＮＩＣ（Ｎｅｔｗｏｒｋ  Ｉｎｔｅｒｆａｃｅ  Ｃａｒｄ）などのハードウェア部と、所定の通信プロトコルで通信を行うソフトウェア部とが組み合わされて構成されている。ネットワーク部２９は、画像形成装置１をネットワーク８００に接続する。これにより、画像形成装置１は、ネットワーク８００に接続されているＰＣ４０１やサーバ６０１などの外部装置と通信可能になる。画像形成装置１は、ＰＣ４０１やサーバ６０１などから印刷ジョブを受信可能である。また、画像形成装置１は、スキャン部４０で読み取った画像データを、ファイル転送プロトコルなどによりＰＣ４０１に送信したり、メールサーバ（図示せず）などを介して電子メール（Ｅ−ｍａｉｌ）により送信したりすることができる。なお、ネットワーク部２９は、無線通信によりネットワーク８００に接続可能に構成されていてもよい。
【００５８】
制御部２０は、ＣＰＵ２１と、ＲＯＭ２３と、ＲＡＭ２５とを有している。制御部２０は、操作部１１、プリント部３０、及びスキャン部４０などとともにシステムバスに接続されている。これにより、制御部２０と画像形成装置１の各部とが、信号を送受可能に接続されている。
【００５９】
ＲＯＭ２３は、例えばフラッシュＲＯＭ（Ｆｌａｓｈ  Ｍｅｍｏｒｙ）である。ＲＯＭ２３には、画像形成装置１の動作を行うために用いられるデータが記憶されている。ＲＯＭ２３には、種々の制御プログラム２３ａが記憶されている。ＲＯＭ２３には、画像形成装置１の機能設定データなどが記憶されていてもよい。ＣＰＵ２１は、ＲＯＭ２３からのデータの読み込みや、ＲＯＭ２３へのデータの書き込みを行う。なお、ＲＯＭ２３は、書換え不可能なものであってもよい。
【００６０】
ＲＡＭ２５は、ＣＰＵ２１のメインメモリである。ＲＡＭ２５は、ＣＰＵ２１が制御プログラム２３ａを実行するときに必要なデータなどを記憶するのに用いられる。
【００６１】
ＣＰＵ２１は、ＲＯＭ２３に記憶された制御プログラム２３ａや、ＲＡＭ２５又はＨＤＤ１５などに記憶された制御プログラム（図示せず）などを実行することにより、画像形成装置１の種々の動作を制御する。ＣＰＵ２１は、操作部１１から操作信号が送られたり、ＰＣ４０１などから操作コマンドが送信されたりすると、それらに応じて所定の制御プログラム２３ａを実行する。これにより、ユーザによる操作部１１の操作などに応じて、画像形成装置１の所定の機能が実行される。
【００６２】
スキャン部４０は、上述のようにスキャナ機能を実行し、原稿から画像データを読み取る。スキャン部４０により読み取られた画像データは、ＣＰＵ２１により所定のデータ形式に変換され、ＨＤＤ１５などに記憶される。ＣＰＵ２１は、ＨＤＤ１５などに記憶された画像データを、ＰＣ４０１などに送信可能である。
【００６３】
表示制御部１６は、ＣＰＵ２１の制御に基づいて、表示パネル１３に表示される情報の内容を制御する。
【００６４】
停止指示部１７は、ストップキー１１ｂが押下されて停止要求が受け付けられた場合において、実行中のジョブのうち所定のジョブを停止させる制御を行う。この制御は、ＣＰＵ２１の制御に基づいて行われる。
【００６５】
［サーバ６０１の構成］
【００６６】
図３に示されるように、サーバ６０１は、制御部６２０と、ＨＤＤ６１５とを有している。制御部６２０は、ＣＰＵ（図示せず）、ＲＯＭ（図示せず）及びＲＡＭ（図示せず）などで構成されており、サーバ６０１の制御を行う。
【００６７】
ＨＤＤ６１５は、サーバ６０１の制御プログラム（図示せず）などの種々の情報を記憶する。制御部６２０が、制御プログラムに基づいてサーバ６０１の制御を行うことで、サーバ６０１のウェブサーバ機能やその他の機能が実行される。サーバ６０１は、ウェブサーバとしての機能や、ファイルサーバとしての機能を実行可能である。また、サーバ６０１は、電子メールの送信サーバとしての機能や、画像をファクシミリにより送信する機能などを実行可能である。
【００６８】
本実施の形態において、ＨＤＤ６１５には、ユーザ認証に利用される認証データベース（ＤＢ）６１５ａが記憶されている。認証データベース６１５ａには、ユーザ認証可能なユーザの情報とそのユーザの認証に必要な認証情報とが対応付けられて記録されている。認証情報は、例えばユーザ毎に設定されたパスワードである。認証データベース６１５ａには、各ユーザについて実行を許可する機能に関する情報が、そのユーザに対応付けて記録されている。
【００６９】
［サーバ６０１と連携した動作］
【００７０】
この画像形成システム９００では、画像形成装置１とサーバ６０１とを利用することで、種々のサーバ連携ジョブを実行させることができる。ここで、サーバ連携ジョブは、画像形成装置１の内部だけで完結せず、サーバ６０１での処理が行われるジョブである。サーバ６０１で行われる処理としては、例えば、画像処理、認証データの送信処理、又は画像データ送信処理などがある。本実施の形態では、サーバ連携ジョブとして、サーチャブルＰＤＦ（ｐｏｒｔａｂｌｅ  Ｄｏｃｕｍｅｎｔ  Ｆｏｒｍａｔ）ファイルの生成ジョブや、ユーザ認証ジョブなどが実行可能である。
【００７１】
サーチャブルＰＤＦファイルの生成ジョブは、画像形成装置１で読み込んだ画像について、画像に対応するテキストデータが画像に合わせて付与された所定のファイル形式（ＰＤＦ）のデータを生成するジョブである。付与されるテキストデータの内容は、文字認識機能（ＯＣＲ（Ｏｐｔｉｃａｌ  Ｃｈａｒａｃｔｅｒ  Ｒｅａｄｅｒ）機能）などの文字認識結果に基づいて決定される。すなわち、このジョブは、画像処理を伴うものである。生成されるサーチャブルＰＤＦファイルは、画像処理によって得られたテキストデータを含むＰＤＦファイルである。
【００７２】
ここで、文字認識には多量の計算処理が必要であり、画像形成装置１でこれを行うと、処理時間が長くなる。そのため、サーバ６０１で文字認識処理などを行うために、画像形成装置１で読み込んだ画像は、いったんサーバ６０１に送信される。サーバ６０１では、文字認識処理が行われ、その結果に基づいてサーチャブルＰＤＦファイルが生成される。生成されたファイルは、画像形成装置１に送られて、ＨＤＤ１５などに設けられた所定の記憶領域（ＢＯＸということがある。）などに記憶される。これにより、比較的に速やかに、サーチャブルＰＤＦファイルの生成ジョブが終了する。
【００７３】
ユーザ認証ジョブは、画像形成装置１や画像形成システム９００を利用するユーザを識別し、認証するジョブである。ユーザ認証ジョブは、画像形成装置１を介して行われる。ユーザは、ユーザ認証ジョブによる認証を経て、画像形成装置１にログインし、画像形成装置１や画像形成システム９００を利用することができる。
【００７４】
ユーザ認証ジョブでは、サーバ６０１の認証データベース６１５ａが用いられる。ユーザ認証ジョブは、画像形成装置１とサーバ６０１との間での認証データ送信処理を伴うジョブである。ユーザ認証ジョブは、例えば、次に示すようにして行われる。すなわち、まず、ユーザに、ユーザ認証画面が提示される。ユーザ認証画面は、表示パネル１３に表示される。ユーザは、操作部１１を操作し、画像形成装置１にそのユーザの情報（例えば、アカウント名など）とパスワードとを入力する。操作部１１にこれらの情報が入力されると、ＣＰＵ２１は、入力されたデータをサーバ６０１に送信する。サーバ６０１では、制御部６２０が認証データベース６１５ａを参照し、受信したデータに基づいて、そのユーザの認証可否を判断する。認証可能であれば、サーバ６０１は、そのユーザについて認証成立とし、画像形成装置１に認証結果を送信する。画像形成装置１では、認証結果を受信し、認証が成立した認証ユーザについて実行を許可されている機能を実行可能とする。このとき、認証ユーザは画像形成装置１にログインした状態になる。これにより、画像形成装置１は、画像形成装置１を用いるユーザを識別できる。
【００７５】
ユーザ認証ジョブを行ってユーザを識別することで、表示パネル１３の表示や利用可能な機能などを認証されたユーザに適合するものにして、画像形成装置１の利便性を高められる。また、認証されたユーザが画像形成装置１の近くにいるときに、他のユーザの目に触れないようにして印刷物を出力できるなど、高いセキュリティ効果が得られる。
【００７６】
画像形成装置１において、ＣＰＵ２１は、ユーザ認証により識別したユーザに応じて、画像形成装置１の機能についてのユーザの使用権限を管理する。使用権限の管理が行われることで、ユーザ毎に、所定の機能の使用を制限することができ、高いセキュリティ効果が得られる。
【００７７】
なお、ユーザ認証の方式は上記に限られるものではなく、公知の方法を適宜採用することができる。認証情報の参照先や認証を行う主体などは、上記のものとは異なっていてもよい。例えば、画像形成装置１自身がユーザ認証を行うための認証情報を保有しており、画像形成装置１がユーザからの認証要求を受け付けて、認証情報に基づいて、そのユーザを認証してもよい。また、例えば接触式・非接触式のＩＤカードを用いたカード認証方式や、ユーザの指紋情報や静脈情報などを利用した生体認証方式などを採用し、ユーザにアカウント名などの情報やパスワードの入力を要求しないようにしてもよい。
【００７８】
なお、サーバ連携ジョブとしては、画像データ送信処理を伴うものが行われてもよい。例えば、サーバ６０１から画像形成装置１に、画像形成などに用いる画像データを送信し、画像形成装置１において受信した画像データに基づいて画像形成を行うプルプリントジョブなどが挙げられる。
【００７９】
［画像形成装置１が行うジョブの説明］
【００８０】
画像形成装置１が行うことができるジョブとしては、例えば、次のようなものがある。すなわち、プリントジョブ、コピージョブ、スキャンジョブ、ファクシミリ送信ジョブ、ネットワークファクシミリ送信ジョブ、ＦＴＰ送信ジョブ、及び電子メール送信ジョブなどである。なお、ここで示すジョブは例示であり、画像形成装置１は、これらのジョブのうちいずれかを行うことができないものであってもよい。また、これらとは異なる別の種類のジョブを実行可能であってもよい。
【００８１】
プリントジョブは、プリント部３０により用紙に画像を形成するジョブである。画像形成は、ＰＣ４０１から送られた画像データや、画像形成装置１の内部に記憶されている画像データなどに基づいて行われる。
【００８２】
コピージョブは、スキャン部４０により原稿を読み取り、生成した画像データに基づいてプリント部３０により用紙に画像を形成するジョブである。
【００８３】
スキャンジョブは、スキャン部４０により原稿を読み取って画像データを生成するジョブである。生成された画像データは、画像形成装置１の内部の記憶装置又は外部の記憶装置に記憶される。例えば、画像形成装置１の内部のＢＯＸや、画像形成装置１が通信可能な外部ファイルサーバなどに記憶される。
【００８４】
ファクシミリ送信ジョブは、音声回線又はデジタル回線を経由したファクシミリ送信動作を行うジョブである。画像形成装置１は、例えばＧ３規格によりファクシミリ送信動作を実行可能である。以下、ファクシミリ送信ジョブを代表してＧ３ｆａｘ送信ジョブということがある。なお、画像形成装置１は、Ｇ３規格に限られず、例えばスーパーＧ３規格やＧ４規格など、他の規格によりファクシミリ送信動作を実行可能であってもよい。ファクシミリ送信ジョブでは、例えば、スキャン部４０により原稿を読み取って生成された画像データや、ＢＯＸなどに記憶されている画像データなどを送信できる。
【００８５】
ネットワークファクシミリ送信ジョブは、例えばいわゆるＩｎｔｅｒｎｅｔＦＡＸにより、ＩＰ（Ｉｎｔｅｒｎｅｔ  Ｐｒｏｔｏｃｏｌ）網を経由して、画像データを送信するジョブである。ネットワークファクシミリ送信ジョブでは、例えば、スキャン部４０により原稿を読み取って生成された画像データや、ＢＯＸなどに記憶されている画像データなどを送信できる。ネットワークファクシミリ送信ジョブは、ファクシミリ送信を行うという点でファクシミリ送信ジョブの１つということもできる。
【００８６】
ＦＴＰ送信ジョブは、ファイル転送動作を行うジョブである。ＦＴＰ送信ジョブは、ＦＴＰを利用して、スキャン部４０により原稿を読み取って生成された画像データや、ＢＯＸなどに記憶されている画像データなどを送信するジョブである。
【００８７】
電子メール送信ジョブは、画像データなどを電子メールに添付して送信するジョブである。電子メール送信ジョブでは、スキャン部４０により原稿を読み取って生成された画像データや、ＢＯＸなどに記憶されている画像データなどを送信できる。
【００８８】
なお、これらのジョブの他に、サーバ連携ジョブとして、上記のようなサーチャブルＰＤＦファイルの生成ジョブやユーザ認証ジョブがある。
【００８９】
これらのジョブの中には、用紙搬送部３１又は自動原稿搬送部４１（以下、これらをまとめて搬送部３１，４１ということがある。）による用紙の搬送動作が行われるものがある。
【００９０】
すなわち、プリントジョブ及びコピージョブでは、用紙搬送部３１により用紙の搬送動作が行われる。また、ユーザ認証ジョブとして、ユーザ認証後に画像を形成する処理が行われる場合（例えば、いわゆるプルプリントが行われる場合など）には、画像形成時に、用紙搬送部３１による用紙の搬送が行われることがある。
【００９１】
コピージョブ、スキャンジョブ、ファクシミリ送信ジョブ、ネットワークファクシミリ送信ジョブ、ＦＴＰ送信ジョブ、電子メール送信ジョブ、及びサーチャブルＰＤＦファイルの生成ジョブでは、スキャン部４０により原稿を読み取るときに、自動原稿搬送部４１による用紙の搬送が行われることがある。
【００９２】
［一時停止できるジョブ、破棄できるジョブの説明］
【００９３】
ジョブは、ジョブが実行中であるときに一時停止（以下、単に停止ということがある。）することができるものと、できないものとに分けられる。ここで、一時停止するとは、再開可能に、動作をいったん中断することをいう。また、ジョブは、ジョブが実行中であるときに破棄できるものと、できないものとに分けられる。ジョブの破棄とは、ジョブを中止して再開不可能にすることをいう。
【００９４】
プリントジョブ、コピージョブは、停止できるものである。その他のジョブも、自動原稿搬送部４１による用紙の搬送を行っているときには、その搬送動作については、停止可能である。例えば、画像形成動作を行っているとき、搬送されている用紙について画像形成が完了した段階で、動作を停止できる。また、スキャン動作を行っているとき、そのとき搬送されている原稿について読み取り及び用紙排出が完了した段階で、動作を停止できる。いずれの場合も、次の用紙から動作を再開可能である。このように、画像形成装置１で実行中のジョブのうち、搬送部３１，４１による用紙の搬送動作が行われているジョブ（第１の種類のジョブ）は、停止可能である。換言すると、読み込みの動作及び印刷の動作は、停止可能な動作である。
【００９５】
また、本実施の形態では、上記のような用紙の搬送動作が行われているジョブ以外のジョブのうち、例えば、ネットワークファクシミリ送信ジョブは、タイミングによって、停止可能である。なお、これに限られず、ネットワークファクシミリ送信ジョブは、次の停止不能なジョブに属してもよい。
【００９６】
ファクシミリ送信ジョブ、ＦＴＰ送信ジョブ、電子メール送信ジョブ、及びスキャンジョブは、それらが画像形成装置１で実行中であって、自動原稿搬送部４１による用紙の搬送を行っていないとき、停止できないジョブである。すなわち、これらのジョブが、それぞれの方法で情報を伝送中であるとき、情報は、通信の相手方となる装置との通信手順に従って送信されるため、送信をいったん停止すると、途中から送信を再開することはできなくなる。したがって、これらのジョブの停止は不可能である。記憶装置に情報を保存する場合であっても、同様である。なお、これらのジョブのうち、通信中に停止できるようにされたものがあってよい。
【００９７】
停止できない状態にあるジョブには、実行中であって、サーバ６０１との通信などを行っている状態にあるサーバ連携ジョブが含まれる。サーバ連携ジョブについては、画像形成装置１とサーバ６０１との間で通信が行われている間のほか、サーバ６０１において処理が実行されている間も、画像形成装置１でそのジョブを停止することができなくなる。
【００９８】
上述の種々のジョブのうち、ほとんどは、実行中に破棄が可能なものである。すなわち、停止可能である状態にあるジョブは、破棄可能である。また、画像形成装置１が他の装置と通信中である状態のジョブや、記憶装置に情報を保存中である状態のジョブは、破棄可能である。
【００９９】
ここで、サーバ連携ジョブであってサーバ６０１で処理が実行中であるものは、破棄することができないものである。例えば、文字認識処理やユーザ認証処理がサーバ６０１で行われているときには、画像形成装置１はそれらの処理にかかわることができない。そのため、このような状態のジョブは、破棄できないジョブである。
【０１００】
このように、画像形成装置１で実行中であるジョブは、その状態に応じて、停止も破棄もできるもの（停止可能ジョブということがある。）、停止できないが破棄はできるもの（停止不可ジョブということがある。）、停止も破棄もできないもの（破棄不可ジョブということがある。）の３種類に分類できる。
【０１０１】
［ストップキー１１ｂが押下されたときの動作の説明］
【０１０２】
本実施の形態において、画像形成装置１では、ジョブが実行中であるときに、ＣＰＵ２１が次に示すような制御を繰り返して行う。この制御は、表示制御部１６や停止指示部１７など、画像形成装置１の各部を利用して行われる。
【０１０３】
図４は、画像形成装置１の動作を示すフローチャートである。
【０１０４】
図４に示されるように、ステップＳ１０１において、ＣＰＵ２１は、ストップキー１１ｂが押下されたか否かを判断する。すなわち、ＣＰＵ２１は、画像形成装置１で実行中のジョブを停止させるための停止要求を、ユーザから受け付ける。ストップキー１１ｂが押下されると、ＣＰＵ２１は、それを検知し、次のステップに進む。
【０１０５】
ステップＳ１０１においてストップキー１１ｂが押下されると、ステップＳ１０３において、ＣＰＵ２１は、読み込みの動作又は印刷の動作を停止する。ＣＰＵ２１は、停止指示部１７により、これらの動作を停止させることができる。換言すると、停止指示部１７は、ＣＰＵ２１の制御に基づいて、画像形成装置１で実行中のジョブのうち、搬送部３１，４１による用紙の搬送動作が行われている、停止可能ジョブを停止させる。停止可能ジョブがないときには、そのまま次のステップに進めばよい。
【０１０６】
なお、用紙の搬送動作を伴わないが停止できるジョブがあるときには、ステップＳ１０１において、そのジョブも停止されるようにする。
【０１０７】
ステップＳ１０５において、ＣＰＵ２１は、読み込み動作、印刷動作を行っているもの以外の動作中のジョブの有無を判別する。判別は、例えば、表示制御部１６を利用して行われる。
【０１０８】
ステップＳ１０５において上記の動作中ジョブがなかったとき、ステップＳ１０６において、ＣＰＵ２１は、停止中のジョブについての情報をユーザに表示する。
【０１０９】
なお、ジョブの情報の表示は、例えば、表示制御部１６の制御に基づいて、表示パネル１３に表示対象となるジョブの情報を一覧できるリストなどを表示させることにより行われる。以下においても同様である。
【０１１０】
ステップＳ１０６で表示が行われると、ステップＳ１０７において、ＣＰＵ２１は、情報が表示されたジョブについて再開するか破棄するかを選択するユーザからの操作を受け付ける。ＣＰＵ２１は、例えば、表示パネル１３に表示された所定の操作キーなどについてユーザからの操作が行われたとき、その操作を受け付ける。ＣＰＵ２１は、受け付けた操作に応じて、対応するジョブを再開する処理又は破棄する処理を実行する。破棄することが選択されたジョブは、削除される。
【０１１１】
他方、ステップＳ１０５において上記の動作中ジョブ、例えばファクシミリ送信ジョブなどがあったとき、ステップＳ１０８において、ＣＰＵ２１は、停止できなかったジョブがあるか否か判別する。換言すると、ＣＰＵ２１は、画像形成装置１で実行中であるジョブのうち、停止可能ジョブでない、停止できないジョブ（第２の種類のジョブの一例）の有無を判別する。上記の停止不可ジョブ及び破棄不可ジョブは、停止できないジョブに該当する。
【０１１２】
ステップＳ１０８で停止できなかったジョブがないとき、ステップＳ１０９において、ＣＰＵ２１は、停止できたジョブに関する情報を表示する。このとき、ＣＰＵ２１は、表示制御部１６の制御に基づいて、読み込み動作や印刷動作を行っていないジョブを、他のジョブより優先して表示する。すなわち、ここで優先して表示されるジョブは、ユーザが動作中であるか停止しているかを視認できないものである。ユーザが視認できないジョブについて一覧できるリストが、ユーザに表示される。例えば、ネットワークファクシミリ送信ジョブが、送信処理などを実行中にストップキー１１ｂの押下に伴って停止されたとき、そのジョブに関する情報が、停止された他のジョブ（例えば、プリントジョブやコピージョブなど）よりも優先して表示される。
【０１１３】
ステップＳ１１０において、ＣＰＵ２１は、ステップＳ１０７と同様の処理を行う。すなわち、ＣＰＵ２１は、情報が表示されたジョブについて再開するか破棄するかを選択するユーザからの操作を受け付け、ジョブを再開する処理又は破棄する処理を実行する。破棄することが選択されたジョブは、削除される。
【０１１４】
ステップＳ１０８で停止できなかったジョブがあれば、ステップＳ１１１において、ＣＰＵ２１は、停止できなかったジョブについて、破棄を行うか否かを選択する破棄選択画面を表示する。破棄選択画面は、表示制御部１６の制御に基づいて、表示パネル１３上に表示される。ユーザは、破棄選択画面で選択操作を行うことで、ジョブ破棄を行うか否かについて、画像形成装置１に指示を行うことができる。
【０１１５】
ステップＳ１１３において、ＣＰＵ２１は、ジョブ破棄を行う旨の選択が行われたか否かを判断する。
【０１１６】
ステップＳ１１３においてジョブ破棄を行う旨の選択が行われれば、ステップＳ１１５において、ＣＰＵ２１は、実行中のジョブに関する情報を表示する。表示制御部１６の制御に基づいて、停止できなかったジョブを一覧できるリストが、表示パネル１３上に表示される。ユーザは、このリストが表示されている表示パネル１３について操作を加えることで、ジョブについて破棄を行うことを選択することができる。このとき、ＣＰＵ２１は、表示制御部１６の制御に基づいて、実行中であるジョブを、他のジョブよりも優先して表示する。
【０１１７】
ステップＳ１１６において、ＣＰＵ２１は、情報が表示されたジョブについて破棄することを選択するユーザからの操作を受け付ける。ＣＰＵ２１は、受け付けた操作に応じて、ジョブを破棄する処理を実行する。
【０１１８】
ステップＳ１１７において、ＣＰＵ２１は、情報が表示されたジョブのうち、ユーザに選択されたジョブを削除する。
【０１１９】
他方、ステップＳ１１３においてジョブ破棄を行う旨の選択が行われなければ、ステップＳ１１９において、ＣＰＵ２１は、破棄不可ジョブがあるか否かを判断する。
【０１２０】
ステップＳ１１９において破棄不可ジョブがなければ、ＣＰＵ２１は、ステップＳ１０６，Ｓ１０７の処理を実行する。
【０１２１】
ステップＳ１１９において破棄不可ジョブがあれば、ステップＳ１２１において、ＣＰＵ２１は、破棄不可ジョブに関する情報を表示する。表示制御部１６の制御に基づいて、破棄不可ジョブを含む停止できなかったジョブを一覧できるリストが、表示パネル１３上に表示される。このとき、ＣＰＵ２１は、表示制御部１６の制御に基づいて、破棄不可ジョブを、他のジョブより優先して表示する。
【０１２２】
ステップＳ１２３において、ＣＰＵ２１は、破棄不可ジョブとは別のジョブについて、破棄する指示を受け付ける。ユーザは、破棄不可ジョブのリストが表示されている表示パネル１３について操作を加えることで、そのとき実行中である破棄可能な停止不可ジョブについて、破棄を行うことを選択することができる。破棄の選択が受け付けられれば、それに応じて、対象として選択されたジョブを破棄する処理が実行される。破棄する対象として選択されたジョブは、削除される。
【０１２３】
ステップＳ１０７，Ｓ１１０，Ｓ１１７，Ｓ１２３の処理が終了すると、一連の処理は終了する。
【０１２４】
［ストップキー１１ｂが押下されたときの動作の具体例］
【０１２５】
上記の動作の具体例について説明する。例えば、ＰＣ４０１から送られたプリントジョブと、コピージョブと、Ｇ３ｆａｘ送信ジョブ（ファクシミリ送信ジョブの一例）と、ネットワークファクシミリ送信ジョブとが実行中である場合において、ストップキー１１ｂが押下されたときを想定する。ここで、ストップキー１１ｂが押下されたとき、プリントジョブは印刷中であり、コピージョブは読取中であり、Ｇ３ｆａｘ送信ジョブ及びネットワークファクシミリ送信ジョブは送信中であるものとする。
【０１２６】
このとき、ストップキー１１ｂが押下されると、停止可能ジョブすなわちプリントジョブ及びコピージョブは動作が停止される。また、このとき、実行中のジョブのうち停止されないジョブがあるので、破棄選択画面が表示される（図４においてステップＳ１０１〜Ｓ１１１）。
【０１２７】
図５は、ストップキー１１ｂが押下された場合において表示される破棄選択画面の一例を示す図である。
【０１２８】
図５に示されるように、破棄選択画面１１０は、メッセージ表示部１１１と、「はい」、「いいえ」のそれぞれに対応する操作キー１１２，１１３とが表示されている。メッセージ表示部１１１には、例えば、「ダイヤル中、または送信中のジョブを削除しますか？」を示す文など、ユーザにジョブ破棄を行うか否かの選択を求める情報が表示される。操作キー１１２は、「ジョブ破棄を行う」ことを選択するためのものであり、操作キー１１３は、「ジョブ破棄を行わない」ことを選択するためのものである。破棄選択画面１１０が表示された表示パネル１３のうち操作キー１１２，１１３に対応する部分が操作されることで、ユーザは、画像形成装置１に対して意思表示を行うことができる。
【０１２９】
図６は、ジョブ破棄を行うためのジョブ情報表示画面の一例を示す図である。
【０１３０】
ジョブ情報表示画面１２０は、破棄選択画面１１０で操作キー１１２が操作されることで「ジョブ破棄を行う」旨が選択されたときに表示される（図４においてステップＳ１１３：ＹＥＳ，Ｓ１１５）。すなわち、ジョブ情報表示画面１２０は、破棄選択画面１１０の表示に応じてジョブを破棄する旨の選択が行われたときに、表示される。
【０１３１】
図６に示されるように、ジョブ情報表示画面１２０は、いわゆるタブ型のユーザインタフェースを有している。ジョブ情報表示画面１２０では、表示すべきジョブの情報が、各タブに属する表示領域に表示される。ジョブ情報表示画面１２０が表示されるとき、停止できず実行中であるジョブに関する情報と、停止中であるジョブに関する情報とが、複数のタブに分かれて、共に表示される。
【０１３２】
ジョブ情報表示画面１２０には、停止中タブ５１と、ファクシミリ送信タブ５２との２つのタブ５１，５２が表示されている（図６において点線で囲んで示されている。）。ジョブ情報表示画面１２０において、各タブ５１，５２のうち一方のアクティブであるものは、例えば淡色背景に濃色文字を付して示されており、他方のインアクティブであるものは、例えば濃色背景に淡色文字を付して示されている。図６に示す例においては、停止中タブ５１の状態はインアクティブであり、ファクシミリ送信タブ５２の状態がアクティブである。
【０１３３】
タブ５１，５２の下方は、タブ５１，５２のうちアクティブであるものに対応するジョブに関する情報が表示される表示領域である。図６に示す例においては、アクティブであるファクシミリ送信タブ５２に属するジョブの情報を含むジョブリスト５２ａが表示されている。ジョブリスト５２ａには、各ジョブの種別や文書名、あて先、ジョブの登録時間、送信に係るページ数、ジョブの状態など、各ジョブに関する情報が表示される。換言すると、ジョブリスト５２ａが表示されることで、ジョブ情報表示画面１２０において、ファクシミリ送信タブ５２に対応するジョブに関する情報が表示される。
【０１３４】
そのほか、ジョブ情報表示画面１２０には、選択されたジョブを破棄するための削除キー６１が表示されている。また、ジョブ情報表示画面１２０には、ジョブ情報表示画面１２０を閉じる（非表示にする）ための操作キー７０が表示されている。
【０１３５】
ジョブ情報表示画面１２０において、ジョブリスト５２ａには、ファクシミリ送信タブ５２に対応する、ファクシミリ送信に関する２つのジョブ１０１，１０２の情報がリスト表示されている。すなわち、ファクシミリ送信タブ５２には、種別が「Ｇ３Ｆａｘ」であるＧ３ｆａｘ送信ジョブ１０１について、「送信中」であることが表示されている。また、ファクシミリ送信タブ５２には、種別が「ＮｅｔＦａｘ」であるネットワークファクシミリ送信ジョブ１０２について、「送信停止中」であることが表示されている。このように、ジョブ情報表示画面１２０が表示されることで、停止できず、実行中であるジョブに関する情報が表示される。
【０１３６】
ジョブリストにおいて、基本的には、ジョブの情報は、そのジョブが登録された時刻順に並ぶようにして表示される。例えば、ジョブ１０１，１０２がその順に登録されている場合において、そのジョブ１０１，１０２は、ジョブ１０１がジョブ１０２よりも上に位置するようにして、ジョブリスト５２ａに表示される。なお、ジョブリストでは、例えばユーザにより指定された任意の項目をソートキーにして、ジョブの表示順を変更できるようにしてもよい。
【０１３７】
ここで、本実施の形態において、ジョブ情報表示画面１２０が表示されるとき、停止できず実行中であるジョブに関する情報が、停止中であるジョブに関する情報又は待機中（実行開始前など）であるジョブに関する情報などの他の情報に優先して表示される。
【０１３８】
ジョブ情報表示画面１２０の表示が行われる際、後述の図９に示されるように、停止中であるジョブは、停止中タブ５１が選択されているときに表示されるジョブリスト５１ａに対応する。他方、停止できず実行中であるジョブは、上述の通り、ファクシミリ送信タブ５２が選択されているときに表示されるジョブリスト５２ａに対応する。ここで、上記のように破棄選択画面１１０においてジョブ破棄を行う旨の選択がなされたとき、ＣＰＵ２１は、２つのタブ５１，５２のうち、停止中タブ５１よりもファクシミリ送信タブ５２を優先してアクティブとした状態で、ジョブ情報表示画面１２０を表示する。これにより、実行中であるジョブに関する情報が優先して画面に表示されるので、ユーザは、実行中であるジョブに関する情報を速やかに、確実に知ることができる。
【０１３９】
図７は、ジョブ破棄を行うための選択操作の一例を説明する図である。
【０１４０】
ユーザは、ジョブ情報表示画面１２０が表示された状態において、ファクシミリ送信タブ５２に表示されたジョブ１０１，１０２を選択し、破棄する旨の操作を行うことで、選択したジョブの破棄指示を行うことができる。ユーザが破棄指示を行うと、それに応じて、ＣＰＵ２１は、破棄指示が行われた対象のジョブを破棄し、ファクシミリ送信タブ５２から削除する（図４においてステップＳ１１６，Ｓ１１７）。
【０１４１】
例えば、ユーザが２つのジョブ１０１，１０２のうち、Ｇ３ｆａｘ送信ジョブ１０１の破棄を行う場合を想定する。このとき、ユーザは、まず、ファクシミリ送信タブ５２中のＧ３ｆａｘ送信ジョブ１０１を選択する。図７に示されるように、ジョブ１０１が選択されると、その情報が表示されている部分が長方形で囲まれて画面上に示される。これにより、ユーザは、ジョブ１０１が選択されていることを知ることができる。次に、ユーザは、ジョブ１０１が選択されている状態で、削除キー６１を選択する操作を行う（削除キー６１を押下する。）。削除キー６１が操作されることで、選択されているジョブ１０１について、破棄処理が実行される。なお、処理を行う対象として、一度に複数のジョブ（例えば、ジョブ１０１，１０２の両方）を選択できるように構成されていてもよい。
【０１４２】
なお、ジョブの選択操作や操作キーの選択操作は、例えば、ユーザが、指などで、表示パネル１３上でそのジョブや操作キーが表示されている部分に触れることにより、行うことができる。このとき、図７に示されるように、選択操作がされる部位にカーソル９０の画像を表示させ、選択操作が行われることを表示してもよい。また、例えば操作キー１１ａなどに設けられたカーソルキー及び選択キーなどを用いて、カーソル９０などを選択対象となる位置に移動させた状態で選択キーを押下することで選択操作を行えるようにしてもよい。なお、画像形成装置１で利用できるように設けられたポインティングデバイスを用いて、カーソル９０などをジョブ情報表示画面１２０上で移動させて選択操作を行えるようにしてもよい。
【０１４３】
図８は、ジョブ情報表示画面の別例を示す図である。
【０１４４】
ここで、破棄選択画面１１０で「ジョブ破棄を行う」旨が選択されたとき、次に説明するようなジョブ情報表示画面１３０が表示されるようにしてもよい。図８に示されるように、ジョブ情報表示画面１３０は、ジョブに関する情報を、停止中タブ５１と送信中タブ５３とのいずれかに表示するものである。
【０１４５】
ジョブ情報表示画面１３０では、ジョブが停止中であるか、停止できず動作中であるかに応じて、そのジョブが表示されるタブが異なっている。ＣＰＵ２１は、２つのタブ５１，５３のうち、停止中タブ５１よりも送信中タブ５３を優先してアクティブとした状態で、ジョブ情報表示画面１３０を表示する。換言すると、ジョブ情報表示画面１３０が表示されるとき、停止できず実行中であるジョブに関する情報と停止中であるジョブに関する情報とが共に表示される。そして、このとき、停止できず実行中であるジョブに関する情報が、停止中であるジョブに関する情報に優先して表示される。
【０１４６】
送信中タブ５３には、停止できず「送信中」のままである、Ｇ３ｆａｘ送信ジョブ１０１に関する情報が表示される。他のジョブは、ストップキー１１ｂの押下に伴って停止されている。そのため、他のジョブの情報は、送信中タブ５３には表示されず、停止中タブ５１に表示される。
【０１４７】
ジョブ情報表示画面１３０が表示されるとき、送信中タブ５３がアクティブとなるので、ユーザは、送信中タブ５３に表示されたＧ３ｆａｘ送信ジョブ１０１に関する情報を速やかに認識することができる。
【０１４８】
図９は、停止中のジョブに関する情報を表示させた状態のジョブ情報表示画面の一例を示す図である。
【０１４９】
上記のように表示されたジョブ情報表示画面１２０において、当初インアクティブ状態にされている停止中タブ５１は、例えばユーザの操作に基づいて、アクティブにすることができる。すなわち、図９に示されるように、ユーザは、表示パネル１３の画面上の操作又はその他の操作により、停止中タブ５１を選択する操作を行うことで、停止中タブ５１をアクティブにすることができる。このとき、それまでアクティブであったファクシミリ送信タブ５２は、アクティブになる停止中タブ５１に代わり、インアクティブとなる。なお、ジョブ情報表示画面１３０においても、上述と同様にして、停止中タブ５１をアクティブにすることができる。
【０１５０】
停止中タブ５１がアクティブとなっているジョブ情報表示画面１５０では、停止中であるジョブ１０３，１０４に関する情報が、停止中タブ５１のジョブリスト５１ａに表示されている。例えば、コピージョブ１０３については、「読込停止」である旨とともに、その情報が表示されている。また、プリントジョブ１０４については、「印刷停止」である旨とともに、その情報が表示されている。また、ジョブ情報表示画面１５０では、再開可能なジョブ１０３，１０４についての情報が表示されているので、削除キー６１のほか、再開キー６２も表示されている。
【０１５１】
ジョブ情報表示画面１５０では、処理対象とするジョブ１０３，１０４を選択した状態で、削除キー６１の選択操作を行うことで、ユーザは、選択したジョブ１０３，１０４を破棄することができる。また、処理対象とするジョブ１０３，１０４を選択した状態で、再開キー６２の選択操作を行うことで、ユーザは、選択したジョブ１０３，１０４の動作を再開することができる。
【０１５２】
ここで、上記のように破棄選択画面１１０が表示されているときに、「ジョブ破棄を行う」旨の選択がユーザにより行われなかったとき、すなわち、「いいえ」に対応する操作キー１１３が選択されたとき、ＣＰＵ２１は、ジョブ情報表示画面１５０を表示させる（図４においてステップＳ１１３：ＮＯ，Ｓ１１９：ＮＯ，Ｓ１０６）。このように、実行中のジョブの破棄指示を行う意図のないユーザには、そのユーザによる指示が行われる可能性がある、停止中のジョブに関する情報が表示される。操作対象となる可能性が比較的高いジョブに関する情報が表示されるようにすることで、ユーザは、速やかに停止中のジョブを選択する操作を行うことができる。ユーザが行う必要のある操作数を、削減することができる。
【０１５３】
なお、ストップキー１１ｂが押下されたときに、ファクシミリ送信ジョブが１つしか送信中でない場合など、停止できないジョブが１つだけである場合には、上記とは異なるような制御動作が行われてもよい。すなわち、この場合、破棄選択画面１１０においてジョブ破棄を行う旨の選択操作が行われると、ジョブ情報表示画面などのジョブに関する情報の一覧表示を行わずに、ジョブ破棄を行うようにしてもよい。これにより、ユーザは、ジョブ情報表示画面においてそのジョブを破棄する操作を行うことなく、速やかに、かつ、容易に、ジョブの破棄を実行させることができる。
【０１５４】
図１０は、サーバ連携ジョブが実行中である場合のジョブ情報表示画面の一例を示す図である。
【０１５５】
上記の具体例において、ストップキー１１ｂが押下されたときに、さらにサーバ連携ジョブが実行中であった場合を想定する。この場合において、破棄選択画面１１０でジョブ破棄を行う旨の選択が行われると、図１０に示すようなジョブ情報表示画面１６０が表示される。
【０１５６】
ジョブ情報表示画面１６０は、上記のジョブ情報表示画面１３０とは、送信中タブ５３に代えて、実行中タブ５４が表示されている点で異なる。そのほかはジョブ情報表示画面１３０と同様に、停止中タブ５１、削除キー６１などが表示されている。
【０１５７】
本例において、ストップキー１１ｂが押下されていたとき、実行中のジョブは、Ｇ３ｆａｘ送信ジョブ１０６と、サーバ連携ジョブ１０５との２つである。そのため、実行中タブ５４には、ジョブリスト５４ａとして、これらの２つのジョブ１０５，１０６が表示される。その他のジョブは、ストップキー１１ｂが押下されたことにより停止されるので、停止中タブ５１に表示される。ジョブ情報表示画面１６０には、実行中のジョブと停止中のジョブとのそれぞれの情報が表示されるが、ジョブ情報表示画面１６０の表示時には、停止中タブ５１の表示よりも実行中タブ５４の表示が優先される。すなわち、ジョブ情報表示画面１６０が表示されるときには、実行中タブ５４がアクティブとなり、停止中タブ５１はインアクティブとなる。
【０１５８】
ジョブ情報表示画面１６０が表示されている場合において、ユーザは、Ｇ３ｆａｘ送信ジョブ１０６を選択して、破棄指示を行うことができる。これにより、Ｇ３ｆａｘ送信ジョブ１０６の破棄処理が行われる。
【０１５９】
ここで、ジョブ情報表示画面１６０が表示されている場合において、サーバ連携ジョブ１０５は、サーバ６０１における処理中であるとする。このとき、サーバ連携ジョブ１０５は、停止もできず、破棄もできない破棄不可ジョブである。そのため、同一のジョブリスト中において、ジョブの登録順にかかわらず、サーバ連携ジョブ１０５は、他の破棄可能なジョブよりも優先度を低くして表示される。すなわち、このような停止できず破棄することもできない破棄不可ジョブがあるとき、ＣＰＵ２１は、破棄不可ジョブに関する情報を、停止中であるジョブよりも優先してユーザに表示する。ＣＰＵ２１は、破棄不可ジョブに関する情報を、停止できないが破棄はできる破棄可能ジョブよりも優先せずに、ユーザに表示する。
【０１６０】
例えば、図１０に示されるように、２つのジョブ１０５，１０６がジョブリスト５４ａに表示される場合において、サーバ連携ジョブ１０５がＧ３ｆａｘ送信ジョブ１０６よりも早く登録されたものであっても、Ｇ３ｆａｘ送信ジョブ１０６は、サーバ連携ジョブ１０５よりも上方に位置するように表示される。すなわち、Ｇ３ｆａｘ送信ジョブ１０６は、サーバ連携ジョブ１０５よりも優先して表示される。なお、このとき、ＣＰＵ２１は、ジョブ情報表示画面１６０においてサーバ連携ジョブ１０５が選択されても、削除キー６１に対する操作を受け付けない。
【０１６１】
図１１は、ジョブ情報表示画面１６０においてサーバ６０１で処理中であるサーバ連携ジョブが選択されたときの表示例を説明する図である。
【０１６２】
上記のように、ジョブ情報表示画面１３０が表示されている場合において、サーバ連携ジョブ１０５がサーバ６０１における処理中であるとき、サーバ連携ジョブ１０５が選択されると、ＣＰＵ２１は、削除キー６１の表示を変更する。削除キー６１の表示を変更することにより、それを見たユーザは、サーバ連携ジョブ１０５について、破棄指示を行うことができないことを、直感的に、かつ、容易に知ることができる。したがって、ユーザは、無駄な操作を行うことを防止できる。
【０１６３】
なお、削除キー６１の表示の変更は、図１１に示されるように、削除キー６１を非表示にすることにより行われればよい。また、削除キー６１の表示色について、淡色化したり、明度を低くしたり、彩度を低くしたりすることなどにより、削除キー６１の表示態様を操作可能である状態から変更してもよい。
【０１６４】
［サーバ連携ジョブの実行中の動作の具体例の説明］
【０１６５】
サーバ連携ジョブのうちサーチャブルＰＤＦファイルの生成ジョブやユーザ認証ジョブが行われている場合においてストップキー１１ｂが押下されたときの動作の具体例を以下に説明する。
【０１６６】
図１２は、サーチャブルＰＤＦファイルの生成ジョブの流れを示すシーケンス図である。
【０１６７】
図１２に示されるように、サーチャブルＰＤＦファイルの生成ジョブ（以下、単に生成ジョブということがある。）は、画像形成装置１とサーバ６０１との間で行われる。画像形成装置１における処理は、ＣＰＵ２１の制御に基づいて、画像形成装置１の各部が動作することにより行われる。また、サーバ６０１における動作は、制御部６２０による制御に基づいて、サーバ６０１の各部が動作することにより行われる。
【０１６８】
生成ジョブがスタートすると、ステップＳ３０１において、画像形成装置１は、原稿の読み込みを行う。
【０１６９】
ステップＳ３０３において、画像形成装置１は、原稿を読み込んで生成した画像データを、サーバ６０１に送信する。
【０１７０】
ステップＳ３０５において、画像データは、ネットワーク８００を介して、画像形成装置１からサーバ６０１に送られる。
【０１７１】
ステップＳ３０７において、サーバ６０１は、送られた画像データについて、文字認識処理を行う。
【０１７２】
ステップＳ３０９において、サーバ６０１は、文字認識処理の結果と画像データとに基づいて、サーチャブルＰＤＦファイルの作成処理を行う。これにより、画像データがサーチャブルＰＤＦファイルに変換される。
【０１７３】
ここで、サーバ６０１においてステップＳ３０７，Ｓ３０９の処理が行われているとき、画像形成装置１において、ストップキー１１ｂが押下操作された場合を想定する。ステップＳ３１１において、画像形成装置１は、ストップキー１１ｂの押下操作を受け付ける。
【０１７４】
なお、ストップキー１１ｂが押下されたとき、画像形成装置１がジョブを破棄できない状態となる期間は、例えば、画像データをサーバ６０１に送信してから、サーバ６０１から送られたサーチャブルＰＤＦファイルを受信するまで（ステップＳ３０５〜Ｓ３１７）とすればよい。
【０１７５】
ステップＳ３１１でストップキー１１ｂの押下操作が受け付けられると、ステップＳ３１３において、画像形成装置１は、実行中ジョブに関する画面表示を行う。ステップＳ３１１でストップキー１１ｂの押下操作が受け付けられたとき、生成ジョブについて、サーバ６０１では処理が実行途中である。したがって、このとき、例えば図１０又は図１１に示すようなジョブ情報表示画面が、破棄選択画面に続いて表示される。ジョブ情報表示画面には、サーバ連携ジョブについてはサーバ処理中である旨を示す、サーバ連携ジョブに関する情報が表示される。
【０１７６】
ステップＳ３０９で行われていたサーチャブルＰＤＦファイルが完成すると、ステップＳ３１５において、サーバ６０１は、完成したサーチャブルＰＤＦファイルを、画像形成装置１に送信する。
【０１７７】
ステップＳ３１７において、サーチャブルＰＤＦファイルのデータは、ネットワーク８００を介して、サーバ６０１から画像形成装置１に送られる。
【０１７８】
ステップＳ３１９において、画像形成装置１は、受信したサーチャブルＰＤＦファイルのデータを、例えばＢＯＸに保存し、サーチャブルＰＤＦファイルの生成ジョブを終了する。なお、画像形成装置１は、設定により又はユーザの指示により、受信したファイルを、電子メールにより送信したり、例えばＰＣ４０１などの他の外部機器に送信したりするなどしてもよい。
【０１７９】
図１３は、サーバ６０１を利用した認証プルプリントジョブの流れを示すシーケンス図である。
【０１８０】
認証プルプリントジョブは、ユーザ認証ジョブと、プルプリントジョブとを併せて行うものである。図１３に示されるように、認証プルプリントジョブは、画像形成装置１とサーバ６０１との間で行われる。画像形成装置１における処理は、ＣＰＵ２１の制御に基づいて、画像形成装置１の各部が動作することにより行われる。また、サーバ６０１における動作は、制御部６２０による制御に基づいて、サーバ６０１の各部が動作することにより行われる。
【０１８１】
認証プルプリントジョブは、例えば、ユーザが画像形成装置１に実行指示を行うことで開始される。ステップＳ５０１において、画像形成装置１は、ユーザによる操作部１１の操作（例えば、スタートキー（図示せず）の押下操作など）を受け付ける。操作部１１の操作が受け付けられると、認証プルプリントジョブがスタートする。
【０１８２】
ステップＳ５０３において、画像形成装置１は、サーバ６０１に認証確認を行う。例えば、画像形成装置１は、事前にユーザから入力を受け付けたユーザの情報及びパスワードなどを含む認証データを、サーバ６０１に送信し、サーバ６０１に認証処理を行うことを要求する。
【０１８３】
ステップＳ５０５において、認証データは、ネットワーク８００を介して、画像形成装置１からサーバ６０１に送られる。
【０１８４】
ステップＳ５０７において、サーバ６０１は、送られた認証データについて、認証処理を行う。認証処理は、上述のように、認証データベース６１５ａなどを参照して行われる。
【０１８５】
ここで、サーバ６０１においてステップＳ５０７の処理が行われているとき、画像形成装置１において、ストップキー１１ｂが押下操作された場合を想定する。ステップＳ５０９において、画像形成装置１は、ストップキー１１ｂの押下操作を受け付ける。
【０１８６】
ステップＳ５０９でストップキー１１ｂの押下操作が受け付けられると、ステップＳ５１１において、画像形成装置１は、実行中ジョブに関する画面表示を行う。ステップＳ５０９でストップキー１１ｂの押下操作が受け付けられたとき、認証プルプリントジョブについて、サーバ６０１では認証処理が実行途中である。したがって、このとき、例えば次に示すようなジョブ情報表示画面が、破棄選択画面に続いて表示される。
【０１８７】
図１４は、ストップキー１１ｂが押下された後に表示されるジョブ情報表示画面の一例を示す図である。
【０１８８】
図１４に示すように、ジョブ情報表示画面２１０が表示されると、実行中タブ５４が停止中タブ５１に優先して表示される。実行中タブ５４のジョブリスト５４ａには、認証プルプリントジョブ２０１に関する情報が表示される。なお、図１４に示す例では、例えばそのとき実行中であるＧ３ｆａｘ送信ジョブ２０２に関する情報が、認証プルプリントジョブ２０１とともに、ジョブリスト５４ａ共に表示されている。認証プルプリントジョブ２０１は破棄不可ジョブであるので、Ｇ３ｆａｘ送信ジョブ２０２が、認証プルプリントジョブ２０１よりも優先されて表示されている。
【０１８９】
このとき、図１４に示されるように、認証プルプリントジョブ２０１は「認証中」すなわちサーバ６０１で処理中であることが、ジョブリスト５４ａに表示されている。この状態で、認証プルプリントジョブ２０１が選択されると、認証プルプリントジョブ２０１は破棄できない破棄不可ジョブであることから、削除キー６１は非表示となる。
【０１９０】
なお、ストップキー１１ｂが押下されたとき、画像形成装置１がジョブを破棄できない状態となる期間は、例えば、認証データをサーバ６０１に送信してから、サーバ６０１から認証結果を受信するまで（ステップＳ５０５〜Ｓ５１５）とすればよい。
【０１９１】
図１３に戻って、認証処理が終了すると、ステップＳ５１３において、認証結果が画像形成装置１に送信される。
【０１９２】
ステップＳ５１５において、認証結果は、ネットワーク８００を介して、サーバ６０１から画像形成装置１に送信される。
【０１９３】
ステップＳ５１７において、画像形成装置１は、受信した認証結果を確認し、ユーザについて、画像形成装置１でプルプリント可能であるか否か、換言すると認証できたか否かを判断する。ここで、認証不可であるとき、プルプリントは不可能であるため、認証プルプリントジョブは破棄される。
【０１９４】
ステップＳ５１７においてユーザが認証されたときには、ステップＳ５１９において、画像形成装置１は、プルプリントに用いられる印字データの受信を開始する。
【０１９５】
ステップＳ５２１において、サーバ６０１は、プルプリントの対象となる印字データを画像形成装置１に送信する。
【０１９６】
ステップＳ５２３において、印字データは、ネットワーク８００を介して、サーバ６０１から画像形成装置１に送られる。
【０１９７】
ここで、サーバ６０１と画像形成装置１との間でステップＳ５２３の処理が行われているとき、画像形成装置１において、ストップキー１１ｂが押下操作された場合を想定する。ステップＳ５２５において、画像形成装置１は、ストップキー１１ｂの押下操作を受け付ける。
【０１９８】
ステップＳ５２５でストップキー１１ｂの押下操作が受け付けられると、ステップＳ５２７において、画像形成装置１は、実行中ジョブに関する画面表示を行う。ステップＳ５２５でストップキー１１ｂの押下操作が受け付けられたとき、認証プルプリントジョブについて、サーバ６０１から送信される印字データを受信中である。このとき、例えば次に示すようなジョブ情報表示画面が、破棄選択画面に続いて表示される。
【０１９９】
図１５は、ストップキー１１ｂが押下された後に表示されるジョブ情報表示画面の一例を示す図である。
【０２００】
図１５に示すように、ジョブ情報表示画面２２０は、大まかにはジョブ情報表示画面２１０と同様の態様で、ジョブ２０１，２０２に関する情報などについての表示を行うものである。
【０２０１】
ここで、図１５に示されるように、認証プルプリントジョブ２０１は「データ受信中」すなわちサーバ６０１からの印字データを受信する処理を行っていることが、ジョブリスト５４ａに表示される。このように印字データを受信中であるとき、認証プルプリントジョブ２０１は、実行を停止はできないが破棄はできる状態である。したがって、認証プルプリントジョブ２０１が選択されると、削除キー６１は表示される。
【０２０２】
ユーザは、上記のようなジョブ情報表示画面２２０が表示されているときに、認証プルプリントジョブを削除できる。すなわち、図１３に戻って、ステップＳ５２７でジョブ情報表示画面２２０が表示されると、ステップＳ５２９において、画像形成装置１は、ユーザによる削除選択操作を受け付ける。
【０２０３】
図１６は、ジョブ情報表示画面２２０において削除選択操作の受け付け動作の一例を説明する図である。
【０２０４】
ユーザは、上記のようなジョブ情報表示画面２２０において、「データ受信中」である認証プルプリントジョブ２０１を選択する。そして、図１６においてカーソル９０で示されているように、表示されている削除キー６１を選択する操作を行う。これにより、ユーザは、認証プルプリントジョブ２０１について削除選択操作を行うことができる。
【０２０５】
図１３に戻って、ステップＳ５２９において削除選択操作が受け付けられると、ステップＳ５３１において、画像形成装置１は、印字データの受信を中止する。
【０２０６】
ステップＳ５３３において、画像形成装置１は、実行中である認証プルプリントジョブの破棄を行う。
【０２０７】
図１７は、削除選択操作に応じてジョブの破棄が行われた後のジョブ情報表示画面の一例を示す図である。
【０２０８】
図１７に示されるように、上記のようなジョブ情報表示画面２２０が表示されているときに認証プルプリントジョブが削除されると、実行中であるジョブはＧ３ｆａｘ送信ジョブ２０２だけになる。したがって、実行中タブ５４のジョブリスト５４ａには、認証プルプリントジョブに関する情報は削除され、Ｇ３ｆａｘ送信ジョブ２０２に関する情報だけが表示される。
【０２０９】
なお、上記のサーバ連携ジョブの実行中の動作において、ストップキー１１ｂが押下されたときに、破棄選択画面が表示されずに、ジョブ情報表示画面が表示されてもよい。例えばサーバ連携ジョブのみが実行中であるときなどには、破棄選択画面の表示を省略してジョブ情報表示画面を表示してもよい。
【０２１０】
［ジョブに関する情報の表示態様の説明］
【０２１１】
ここで、ストップキー１１ｂが押下されたときに表示されるジョブ情報表示画面の表示態様が、画像形成装置１で実行中のジョブの数、停止中のジョブの数、又は待機中のジョブの数に応じて、変更されるようにしてもよい。また、ジョブ情報表示画面において、表示すべき複数のジョブに関する情報が、ジョブの種類やジョブの状態などに応じて表示されるようにしてもよい。
【０２１２】
本実施の形態においては、次のようにジョブ情報表示画面が表示される。すなわち、ストップキー１１ｂが押下されたときの実行中のジョブの数が所定のいき値より大きい場合がある。すなわち、画像形成装置１に投入されているジョブのうち、ストップキー１１ｂ押下後も動作中である、優先してジョブ情報表示画面に表示させたいジョブの数が、いき値よりも大きくなる場合がある。このようなとき、各ジョブに関する情報は、ジョブ情報表示画面においてそのジョブの種類に応じたタブ（タブの表示領域）に区分されて表示される。他方、画像形成装置１に投入されているジョブの数が所定のいき値以下である場合には、各ジョブに関する情報は、上述のように、例えばジョブの状態（停止中であるか、待機中であるか、実行中であるかなど）に応じたタブに区分されて表示される。このような処理は、例えばＣＰＵ２１の制御の下で行われる。
【０２１３】
なお、実行中のジョブの数に限られず、停止中のジョブの数や待機中のジョブの数なども考慮して、ジョブ情報表示画面に表示するジョブの数といき値とを比較するようにしてもよい。
【０２１４】
図１８は、ジョブ情報表示画面の表示時に行われる処理を示すフローチャートである。
【０２１５】
ステップＳ２１において、ＣＰＵ２１は、ジョブ情報表示画面に表示するジョブの数が、いき値より大きいか否かを判定する。換言すると、ＣＰＵ２１は、設定されているいき値に応じて、ジョブ情報表示画面へのジョブに関する情報の表示を、区分して行うか否かを判定する。
【０２１６】
ステップＳ２１でジョブ数がいき値より大きければ、ステップＳ２３において、ＣＰＵ２１は、ジョブの種類毎に区分してジョブに関する情報をリスト表示する。ジョブ情報表示画面において、ジョブに関する情報は、ジョブの種類毎に設けられた複数のタブのうち、そのジョブが対応するタブの表示領域に表示される。
【０２１７】
他方、ステップＳ２１でジョブ数がいき値より大きくなければ、ステップＳ２５において、ＣＰＵ２１は、ジョブの種類に応じて区分することなく、ジョブに関する情報をリスト表示する。ジョブ情報表示画面において、ジョブに関する情報は、そのジョブの状態に応じたタブの表示領域に表示される。
【０２１８】
ジョブ数に関するいき値は、例えば、予め設定され、ＨＤＤ１５やＲＯＭ２３に記憶されていればよい。いき値は、次に示すようにユーザによる操作に応じて変更可能であってもよいし、固定値として設定されていてもよい。本実施の形態において、いき値は、ジョブ情報表示画面でリスト表示されるジョブの数の上限に対応するものとなる。したがって、いき値は、ジョブ情報表示画面のデザイン、すなわち表示領域やフォントのサイズなどに応じて設定されている。
【０２１９】
図１９は、いき値の設定処理を示すフローチャートである。
【０２２０】
画像形成装置１は、ユーザからのいき値の設定入力を受け付ける。ＣＰＵ２１は、例えば表示パネル１３上に画像形成装置１の種々の機能に関する機能設定画面を表示させて、いき値を設定するためのユーザによる操作を受け付ける。ＣＰＵ２１は、例えば、機能設定画面に表示されるいき値設定キーを押下する操作を、いき値を設定するためのユーザによる操作として受け付ける。
【０２２１】
図１９に示すように、ステップＳ４１において、ＣＰＵ２１は、いき値設定キーが押下されたことを検知する。いき値設定キーが押下されると、次の処理に進む。
【０２２２】
ステップＳ４３において、ＣＰＵ２１は、ユーザが設定したいいき値の入力すなわち表示するジョブ数の設定操作をユーザに促すための画面表示などを行い、ユーザからの入力を受け付ける。ＣＰＵ２１は、受け付けた入力に基づいたいき値を保持する。いき値は、例えば、ＨＤＤ１５やＲＯＭ２３などに記憶される。
【０２２３】
いき値の保持が行われると、処理が終了する。このようにいき値がユーザにより設定可能であることにより、ユーザの所望の表示態様でジョブ情報表示画面を表示させることができる。したがって、ユーザは、ジョブに関する情報を容易に知ることができる。
【０２２４】
本実施の形態において、ジョブ情報表示画面において表示される複数のジョブに関する情報は、ジョブの種類やジョブの状態などに応じて決まる優先度に従って表示される。複数のジョブに関する情報を含むジョブ情報表示画面が表示されるとき、まず、ジョブの種類に従って、各ジョブについての優先度が定められる。そして、同種のジョブが複数あるときには、それぞれのジョブの動作状態に従って優先度が定められる。
【０２２５】
ジョブの種類別の優先度について、優先度が高い順に、代表的ないくつかの停止不可能であるジョブの種類を列挙すると、例えば次のようになる。すなわち、Ｇ３ｆａｘ送信ジョブ（ファクシミリ送信ジョブ）、ネットワークファクシミリ送信ジョブ、電子メール送信ジョブ、ＦＴＰ送信ジョブ、及びサーバ連携ジョブの順である。
【０２２６】
Ｇ３ｆａｘ送信ジョブ（ファクシミリ送信ジョブ）：Ｇ３ｆａｘ送信では、通信時間によって課金される。そのため、Ｇ３ｆａｘ送信ジョブを破棄できれば、不要な通信料金が課金されることを防止できる。したがって、Ｇ３ｆａｘ送信ジョブは、他のジョブと比較して、破棄するジョブを選択する際の優先度が最も高いものとなる。
【０２２７】
ネットワークファクシミリ送信ジョブ：ネットワークファクシミリでは、送信が正常に行われたか否か、送信の相手方に結果が残る。そのため、ネットワークファクシミリ送信ジョブは、電子メール送信ジョブなどと比較して、優先度が高いものとなる。
【０２２８】
電子メール送信ジョブ：一般に、電子メールは、自分以外の相手に送信することが多い。そのため、電子メール送信ジョブは、ファイル送信ジョブと比較して、優先度が高いものとなる。
【０２２９】
ＦＴＰ送信ジョブ：一般に、ＦＴＰ送信が行われる場合において、送信先は自分あてであることが多いものの、他人あてに送信が行われる場合もある。そのため、ＦＴＰ送信ジョブは、サーバー連携ジョブと比較して、優先度が高いものとなる。
【０２３０】
サーバ連携ジョブ：サーバ６０１が用いられるほか、画像形成装置１単独で行われる処理であると考えることができ、他の人へ情報が送信されている状態ではない。そのため、サーバ連携ジョブの優先度は、上記のジョブよりも低いものとなる。例えば、サーチャブルＰＤＦファイルの生成ジョブでは、完成したサーチャブルＰＤＦファイルの出力先は、例えば画像形成装置１内のＢＯＸとなる。この場合、用紙に画像が出力されることもなく、サーバ連携ジョブの優先度は最も低くすればよい。
【０２３１】
また、ジョブの動作状態別の優先度について、優先度が高い順に、ジョブの動作状態を列挙すると、例えば次のようになる。すなわち、実行中ジョブ、停止中ジョブ、及び待機中ジョブの順である。
【０２３２】
実行中ジョブは、すぐに停止又は破棄したいものであり、優先度が最も高いものである。
【０２３３】
停止中ジョブは、再開すること又は破棄することが可能なものである。停止中ジョブについては再開又は破棄を選択するユーザの操作を受け付けることができるため、待機中ジョブよりも優先度が高いものとなる。
【０２３４】
待機中ジョブは、破棄すること以外の選択肢がないものである。したがって、他の動作状態のジョブと比較して、優先度が最も低いものとすればよい。
【０２３５】
なお、動作状態が同一であるジョブが複数あるときには、ジョブの投入時刻が遅い新しいジョブほど、優先度を高くするようにしてもよい。ストップキー１１ｂを押下したユーザは、直近に投入したジョブを停止させたいという動機を有する可能性が高い。そのため、このように新しいジョブを優先して表示することで、画像形成装置１の利便性の向上を図ることができる。
【０２３６】
実行中ジョブ、停止中ジョブ、待機中ジョブが混在している場合に、これらのジョブについてリスト表示が行われるときには、実行中ジョブはリストの先頭に表示され、その後に、停止中ジョブ、待機中ジョブの順で表示される。また、実行中ジョブ、停止中ジョブ、待機中ジョブのそれぞれについて、例えば、最近投入されたジョブほど、リストの上方に位置するように表示される。
【０２３７】
図２０は、ジョブの数がいき値より大きい場合のジョブ情報表示画面の一例を示す図である。
【０２３８】
上記図１８のステップＳ２１における判断において「ＹＥＳ」である場合、すなわちストップキー１１ｂが押下されたときに、停止できず動作中のジョブの数がいき値よりも大きい場合を想定する。このとき、ジョブの種類によって区分されたタブのそれぞれに、画像形成装置１に投入されているジョブに関する情報が表示される。
【０２３９】
図２０に示すように、このとき表示されるジョブ情報表示画面３１０には、Ｇ３ｆａｘタブ５５と、ネットｆａｘタブ５６と、電子メールタブ５７と、ＦＴＰタブ５８と、サーバ連携タブ５９との各種のタブが含まれている。Ｇ３ｆａｘタブ５５は、Ｇ３ｆａｘ送信ジョブに対応する。ネットｆａｘタブ５６は、ネットワークファクシミリ送信ジョブに対応する。電子メールタブ５７は、電子メール送信ジョブに対応する。ＦＴＰタブ５８は、ＦＴＰ送信ジョブに対応する。サーバ連携タブ５９は、サーバ連携ジョブに対応する。
【０２４０】
ジョブ情報表示画面３１０が表示された当初は、これらのタブ５５〜５９のうちジョブの種類別で最も優先度が高いＧ３ｆａｘタブ５５がアクティブとなり、その他のタブ５６〜５９はインアクティブとなる。図２０に示す例において、Ｇ３ｆａｘタブ５５に対応するジョブリスト５５ａには、４つのＧ３ｆａｘ送信ジョブ３０１ａ〜３０１ｄに関する情報が表示されている。これらのジョブ３０１ａ〜３０１ｄのうち、ジョブ３０１ａ，３０１ｂは、動作状態が「送信中」であり、ジョブ３０１ｃ，３０１ｄは、動作状態が「待機中」である。また、ジョブの登録時刻（投入時刻）は、ジョブ３０１ｂが最も早く、その後、ジョブ３０１ｄ，３０１ａ，３０１ｃと続く。
【０２４１】
ジョブ３０１ａ，３０１ｂの２つのジョブは、その動作状態が「送信中」であるので、「待機中」のジョブ３０１ｃ，３０１ｄよりも、ジョブリスト５５ａの中で優先度が高い。ジョブ３０１ａのジョブの登録時刻（投入時刻）は、ジョブ３０１ｂのジョブの登録時刻よりも数分遅くなっている。また、ジョブ３０１ｃのジョブの登録時刻は、ジョブ３０１ｄのジョブの登録時刻よりも数分遅くなっている。したがって、ジョブリスト５５ａにおいて、優先度の高い順に、上から順に、ジョブ３０１ａ，３０１ｂ，３０１ｃ，３０１ｄが並ぶ。
【０２４２】
図２１は、ジョブの数がいき値より小さい場合のジョブ情報表示画面の一例を示す図である。
【０２４３】
上記図１８のステップＳ２１における判断において「ＮＯ」である場合、すなわちストップキー１１ｂが押下されたときに、停止できず動作中のジョブの数がいき値よりも小さい場合を想定する。このとき、上記のようなジョブの種類別に区分することは行われず、画像形成装置１に投入されているジョブに関する情報は、ジョブが実行中であるか停止中であるかに区分されて表示される。
【０２４４】
図２１に示すように、このとき表示されるジョブ情報表示画面３２０には、停止中タブ５１と実行中タブ５４とが含まれている。ジョブ情報表示画面３２０では、表示された時点において、実行中タブ５４がアクティブとなっている。ジョブリスト５４ａには、Ｇ３ｆａｘ送信ジョブ３０２と、ネットワークファクシミリ送信ジョブ３０３と、電子メール送信ジョブ３０４と、ＦＴＰ送信ジョブ３０５と、サーバ連携ジョブ３０６のそれぞれのジョブに関する情報が、この順でリスト表示されている。これらのジョブ３０２〜３０６の登録時刻は、リスト表示順とは異なっている。ジョブ３０２〜３０６の動作状態は、いずれも「送信中」である。
【０２４５】
ジョブ情報表示画面３２０は、上記のとおり、ジョブに関する情報は、ジョブの種類の優先度が高い順に、かつ、動作状態に応じて、表示されたものである。すなわち、このとき、Ｇ３ｆａｘ送信ジョブが他の種類のジョブよりも優先度が高くなる。また、Ｇ３ｆａｘ送信ジョブとして、動作状態が「送信中（実行中）」であるジョブ３０２と、待機中であるものとがあるとき、動作状態が「送信中」であるものの方が、優先度が高くなる。したがって、ジョブ情報表示画面３２０が表示されるとき、Ｇ３ｆａｘ送信ジョブ３０２に関する情報が表示されるべき実行中タブ５４がアクティブとなる。また、実行中タブ５４のジョブリスト５４ａでは、他のジョブ３０３〜３０６のそれぞれに関する情報が、ジョブの種類により定まる優先度に応じた表示順で、Ｇ３ｆａｘ送信ジョブ３０２に続いて表示される。
【０２４６】
このように、ジョブの数が多い場合には、ジョブの種類によってタブに区分して、上記優先順を決定する規則に基づいてジョブ情報表示画面の表示が行われる。ジョブの数が多くなった場合、大量のジョブの中から１つのジョブを探すのには時間がかかる。そのため、ジョブの種類ごとジョブの種類を選択する手間が発生しても、種類毎に分けて表示された方が、ユーザが選択対象となるジョブを探す時間を短縮できる。また、ジョブの数が少ない場合には、ジョブの種類などによっては区分せずに、ひとつの区分あたりのジョブ数が容易に閲覧可能な程度になるようにして、ジョブ情報表示画面に表示される。したがって、ジョブの種類を選択する手間をかけることなく、ユーザが選択対象となるジョブを速やかに探し、選択する操作を行うことができる。したがって、ジョブの数の大小に応じて、ユーザが速やかにジョブの選択を行えるように、適切な表示態様でジョブ情報表示画面を表示できる。
【０２４７】
なお、本実施の形態において、あるジョブに関する情報を優先して表示するには、既に説明したものも含めて、以下のような方法のうちいずれかによればよい。また、これらの方法のうち、複数を組み合わせて他のジョブよりも優先して表示されるようにしてもよい。
【０２４８】
ユーザが視認可能なジョブ情報表示画面上の同一の表示領域上に複数のジョブに関する情報が表示される場合には、次のようにすればよい。すなわち、優先度が高いジョブに関する情報が表示領域の上方に位置するように表示することで、ユーザによる注意を引きやすくして、優先度を高めた表示を行うことができる。
【０２４９】
複数のジョブに関する情報がジョブ情報表示画面の複数の表示領域に区分されて表示される場合には、次のようにすればよい。すなわち、ジョブ情報表示画面の表示当初に、優先度の高いジョブに関する情報が含まれる表示領域が、他の表示領域よりも優先して表示されるようにする。例えば、複数のタブに区分した表示を行う場合、優先度の高いジョブに対応するタブをアクティブにしてジョブ情報表示画面を表示する。これにより、まず、優先度の高いジョブに関する情報について、ユーザが速やかに確認できる。
【０２５０】
例えばいわゆるウインドウシステムを採用した表示画面のようにジョブ情報表示画面を表示する場合であって、複数のジョブが、互いに重ねて表示される複数の表示領域（ウインドウ）に区分されて表示される場合には、次のようにすればよい。すなわち、ジョブ情報表示画面の表示当初に、優先度の高いジョブに関する情報が含まれる表示領域が他の表示領域の上に重ねられるように、複数の表示領域を重ねて表示させる。これにより、まず、優先度の高いジョブに関する情報について、ユーザが速やかに確認できる。
【０２５１】
［ストップキー１１ｂが押下されるタイミングとジョブに関する情報の表示態様との説明］
【０２５２】
同一のジョブであっても、ストップキー１１ｂが押下されるタイミングによっては、そのジョブが停止可能であるか否か、破棄可能であるか否かが異なる場合がある。そのため、同一のジョブであっても、ストップキー１１ｂが押下されるタイミングにおける動作状態によって、そのジョブに関する情報が異なる態様でジョブ情報表示画面に表示される場合がある。以下に、Ｇ３ｆａｘ送信ジョブが行われる場合に表示されるジョブ情報表示画面の例と、サーバ連携ジョブが行われる場合のジョブ情報表示画面の例とについて説明する。
【０２５３】
図２２は、Ｇ３ｆａｘ送信ジョブの動作の一例を示すフローチャートである。
【０２５４】
図２２に示されるように、Ｇ３ｆａｘ送信ジョブの処理は、ステップＳ７０１においてユーザによる操作入力（スタートキーの押下操作）に応じて開始される。このとき、Ｇ３ｆａｘ送信のあて先も指定される。ジョブが開始されると、ジョブが完了するまで、ＣＰＵ２１により、ストップキー１１ｂをユーザが押下する操作が受け付けられる。
【０２５５】
ステップＳ７０３において、ＣＰＵ２１は、スキャン部４０による原稿の読込を開始する。自動原稿搬送部４１により送信される原稿が読み取られる。
【０２５６】
ここで、ユーザによりストップキー１１ｂが押下されると、ステップＳ７０５において、ＣＰＵ２１は、ストップキー１１ｂが押下されたことを受け付ける（Ｓ７０５：ＹＥＳ）。ストップキー１１ｂが押下されなければ、ステップＳ７１５に進む。
【０２５７】
ステップＳ７０５においてストップキー１１ｂの押下が受け付けられると、ステップＳ７０７において、ＣＰＵ２１は、原稿の読み込み動作を停止する。すなわち、このタイミングでは、Ｇ３ｆａｘ送信ジョブは、停止可能なジョブである。
【０２５８】
ステップＳ７０９において、ＣＰＵ２１は、ジョブ情報表示画面を表示する。すなわち、ＣＰＵ２１は、Ｇ３ｆａｘ送信ジョブを、停止中のジョブとして、そのジョブに関する情報を含むジョブ情報表示画面を表示する。
【０２５９】
図２３は、ジョブ情報表示画面の一例を示す図である。
【０２６０】
図２３に示されるように、ジョブ情報表示画面３３０は、停止中タブ５１とファクシミリ送信タブ５２との２つのタブが表示されている。このとき、Ｇ３ｆａｘ送信ジョブ３０７は読込が停止された状態であるため、そのジョブ３０７に関する情報が、停止中タブ５１のジョブリスト５１ａに表示される。ジョブ３０７は再開可能であるので、ジョブ情報表示画面３３０でジョブ３０７が選択されているときには、削除キー６１と再開キー６２とが表示されている。ジョブ３０７を再開するには、ユーザは、ジョブ３０７が選択されている状態で、再開キー６２を押下する。
【０２６１】
図２２に戻って、ステップＳ７１１において、ユーザにより再開キー６２が押下されると、ＣＰＵ２１は、それを検知する。
【０２６２】
ステップＳ７１３において、ＣＰＵ２１は、読み込みを再開する。
【０２６３】
ステップＳ７１５において、ＣＰＵ２１は、読み込みが完了すると、送信を開始する。
【０２６４】
ここで、ユーザによりストップキー１１ｂが押下されると、ステップＳ７１７において、ＣＰＵ２１は、ストップキー１１ｂが押下されたことを受け付ける（Ｓ７１７：ＹＥＳ）。ストップキー１１ｂが押下されなければ、ステップＳ７２１に進む。
【０２６５】
このとき、ファクシミリ送信が行われているので、Ｇ３ｆａｘ送信ジョブは停止できないジョブである。そのため、ステップＳ７１７においてストップキー１１ｂの押下が受け付けられると、ステップＳ７１９において、ＣＰＵ２１は、ジョブ情報表示画面の表示を行う。ＣＰＵ２１は、Ｇ３ｆａｘ送信ジョブを、送信中のジョブとして、そのジョブに関する情報を含むジョブ情報表示画面を表示する。ジョブ情報表示画面は、破棄選択画面１１０を表示してユーザによる指示があった後などに表示されればよい。
【０２６６】
図２４は、ジョブ情報表示画面の一例を示す図である。
【０２６７】
図２４に示されるように、ジョブ情報表示画面３４０は、停止中タブ５１とファクシミリ送信タブ５２との２つのタブを含む。このとき、Ｇ３ｆａｘ送信ジョブ３０７は停止されておらず、送信中であるため、ジョブ３０７に関する情報は、ファクシミリ送信タブ５２のジョブリスト５２ａに表示される。ジョブ３０７は破棄可能であるものの、再開不可能であるので、ジョブ情報表示画面３４０には、削除キー６１のみが表示される。このとき、ユーザは、ジョブ３０７を選択して、削除キー６１を選択する操作を行うことで、ジョブ３０７の破棄を行うことができる。送信完了までにこの処理が行われた場合、処理は終了する。
【０２６８】
図２２に戻って、ステップＳ７２１において、ＣＰＵ２１は、送信が完了すると、Ｇ３ｆａｘ送信ジョブを完了する。
【０２６９】
図２５は、認証プルプリントジョブの動作の一例を示すフローチャートである。
【０２７０】
図２５において、ステップＳ８０１からステップＳ８２７までの処理は、図１３のステップＳ５０１からステップＳ５２７までの処理と同じであるため、この部分の説明は省略する。本例では、ステップＳ８２５，Ｓ８２７において、印字データ受信中にストップキー１１ｂが押下されたとき、認証プルプリントジョブを破棄する操作が行われなかった場合を想定する。
【０２７１】
ストップキー１１ｂが押下されても、ジョブの破棄が行われなければ、ステップＳ８２９において、画像形成装置１は、印字データの受信を完了する。
【０２７２】
ステップＳ８３１において、画像形成装置１は、受信した印字データに基づいて、印刷を開始する。
【０２７３】
ここで、ユーザによりストップキー１１ｂが押下されると、ステップＳ８３３において、画像形成装置１は、ストップキー１１ｂが押下されたことを受け付ける。
【０２７４】
ステップＳ８３３においてストップキー１１ｂの押下が受け付けられると、ステップＳ８３５において、画像形成装置１は、印刷動作を停止する。すなわち、このタイミングでは、認証プルプリントジョブは、停止可能なジョブである。
【０２７５】
ステップＳ８３７において、画像形成装置１は、ジョブ情報表示画面の表示を行う。すなわち、画像形成装置１では、認証プルプリントジョブを、停止中のジョブとして、そのジョブに関する情報を含むジョブ情報表示画面を表示する。
【０２７６】
図２６は、ジョブ情報表示画面の一例を示す図である。
【０２７７】
図２６に示されるように、ジョブ情報表示画面３５０は、停止中タブ５１とファクシミリ送信タブ５２との２つのタブが表示されている。このとき、認証プルプリントジョブ３０８は読込が停止された状態であるため、そのジョブ３０８に関する情報が、停止中タブ５１のジョブリスト５１ａに表示される。ジョブ３０８は再開可能であるので、ジョブ情報表示画面３３０でジョブ３０８が選択されているときには、削除キー６１と再開キー６２とが表示されている。ユーザが再開キー６２を押下すると、印刷が再開される。また、ユーザが削除キー６１を押下すると、認証プルプリントジョブ３０７は破棄される。
【０２７８】
［実施の形態における効果］
【０２７９】
以上のように構成された画像形成装置１では、破棄対象のジョブを選択するためのジョブ情報表示画面が表示されるとき、実行中のジョブがあればそのジョブが優先して表示される。このとき、破棄可能なジョブは、破棄不可であるジョブよりも優先して表示される。ジョブ情報表示画面がそのような優先規則に従って表示された後は、ユーザが適宜操作を行うことで、タブを切り替えたりして他のジョブを表示させて所望の操作を行うことができる。実行中のジョブの優先表示が行われるので、ユーザは、動作が停止したか否かを視認により判別することが困難なジョブについて、実行中であることを速やかに、かつ、確実に知ることができる。破棄可能なジョブの優先表示が行われるので、ジョブの破棄などの処理を、容易にかつ少ない手順で行うことができる。動作中であって、破棄の対象となり得るジョブが優先して表示されることで、ユーザは、速やかに破棄指示を行うなどの対応を行うことができる。
【０２８０】
また、画像形成装置１では、動作中のジョブを破棄するか否かを選択することを求める破棄選択画面が、所定の場合において、ジョブ情報表示画面が表示される前に表示される。そのため、ユーザは、動作中のジョブがあることをより早く知ることができる。
【０２８１】
［その他］
【０２８２】
画像形成装置１に投入されているジョブの種類や数は、上記の実施の形態に示されるものに限られない。例えば、画像形成装置１は、ＦＴＰによる送信のほか、ＳＭＢ（Ｓｅｒｖｅｒ  Ｍｅｓｓａｇｅ  Ｂｌｏｃｋ）やＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）など他のプロトコルによる送信を行うファイル送信ジョブを行えるものであってもよい。
【０２８３】
ストップキーが押下されたときに、破棄選択画面が表示されず、すぐにジョブ情報表示画面が表示されることで、実行中のジョブがあることがユーザに通知されるようにしてもよい。
【０２８４】
ジョブ情報表示画面の表示時に考慮されるジョブの優先度は、例えば別の要因によっても決められるようにしてもよい。例えば、ファクシミリ送信ジョブや電子メール送信ジョブなどについて、同一の種類のジョブであっても、会社外など所定のグループ外の相手などがあて先とされている場合には、グループ内の相手があて先とされている場合よりも表示の優先度が高くなるようにしてもよい。
【０２８５】
ジョブの優先度は、ジョブの種類、ジョブの登録時刻、ジョブの動作状態、及び送信先など種々の要因を適宜考慮して定めればよい。例えば、ジョブの登録時刻や、送信先を最も重視してジョブの優先度が決められるようにしてもよい。
【０２８６】
画像形成装置としては、モノクロ／カラーの複写機、プリンタ、ファクシミリ装置やこれらの複合機（ＭＦＰ）などいずれであってもよい。電子写真方式により画像を形成するものに限られず、例えばいわゆるインクジェット方式により画像を形成するものであってもよい。
【０２８７】
また、本発明に係る画像処理装置は、画像形成部を有しない画像読取装置（画像処理装置の一例）や、読取部を有さず、画像形成部しかない画像形成装置などにも、適用可能である。
【０２８８】
上述の実施の形態における処理は、ソフトウェアによって行っても、ハードウェア回路を用いて行ってもよい。
【０２８９】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０２９０】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２９１】
１  画像形成装置（画像処理装置の一例）
１１  操作部
１１ｂ  ストップキー
１３  表示パネル
１５  ＨＤＤ
１６  表示制御部
１７  停止指示部
２０  制御部
２１  ＣＰＵ
２３ａ  制御プログラム
３０  プリント部（画像形成部）
３１  用紙搬送部（搬送手段の一例）
４０  スキャン部（読取部）
４１  自動原稿搬送部（搬送手段の一例）
６０１  サーバ
９００  画像形成システム
【図１】
0005413403.tif 000002
【図２】
0005413403.tif 000003
【図３】
0005413403.tif 000004
【図４】
0005413403.tif 000005
【図５】
0005413403.tif 000006
【図６】
0005413403.tif 000007
【図７】
0005413403.tif 000008
【図８】
0005413403.tif 000009
【図９】
0005413403.tif 000010
【図１０】
0005413403.tif 000011
【図１１】
0005413403.tif 000012
【図１２】
0005413403.tif 000013
【図１３】
0005413403.tif 000014
【図１４】
0005413403.tif 000015
【図１５】
0005413403.tif 000016
【図１６】
0005413403.tif 000017
【図１７】
0005413403.tif 000018
【図１８】
0005413403.tif 000019
【図１９】
0005413403.tif 000020
【図２０】
0005413403.tif 000021
【図２１】
0005413403.tif 000022
【図２２】
0005413403.tif 000023
【図２３】
0005413403.tif 000024
【図２４】
0005413403.tif 000025
【図２５】
0005413403.tif 000026
【図２６】
0005413403.tif 000027